(57)【特許請求の範囲】
【請求項１】
インターネットアクセス可能な動的情報を携帯電話に配信する方法であって、
加入者データベースを保持し、
加入者に対する前記動的情報の利用可能性を携帯電話に対して示すことにより、前記加入者に対するページングを開始し、該ページングが前記動的情報の通知であって、前記動的情報および動的情報の種類を特定する動的情報の通知を含み、
前記通知の送信後であって、前記携帯電話への前記動的情報の配信の要求の受信前に、前記動的情報を更新し、
前記通知にしたがって送信要求を受信したことに応答し、前記更新された動的情報を前記セルラシステムに送信する、
方法。
【請求項２】
請求項１に記載の方法において、前記動的情報が気象情報を含む、方法。
【請求項３】
請求項１に記載の方法において、前記動的情報が音楽を含む、方法。
【請求項４】
請求項１に記載の方法において、前記動的情報がプログラムデータを含む、方法。
【請求項５】
請求項４に記載の方法において、前記プログラムデータがプログラムアプリケーションまたはプログラムアプリケーションの更新を含む、方法。
【請求項６】
請求項１に記載の方法において、前記動的情報が映像を含む、方法。
【請求項７】
請求項１に記載の方法において、前記動的情報が、ユーザがダウンロードするオーディオまたはビデオ情報を選択できるメディアリストを含む、方法。
【請求項８】
請求項１に記載の方法において、セルラシステムに対する利用可能性は、インターネットを利用して示される、方法。
【請求項９】
請求項１に記載の方法であって、さらに、１つの情報が前記加入者に配信された旨を、前記加入者データベースにおいて示す、方法。
【請求項１０】
請求項１に記載の方法であって、さらに、１つの情報が前記加入者によって読まれた旨を、前記加入者データベースにおいて示す、方法。
【請求項１１】
動的情報を携帯電話に提供するシステムであって、
１つ以上の加入者データベースが保存されたメモリであって、加入者に利用可能なインターネットアクセス可能な動的情報が保存されたメモリと、
前記メモリに結合されたプロセッサを含むコントローラであって、加入者に対する前記動的情報の利用可能性を示すとともに前記動的情報および動的情報のタイプを特定する、加入者への通知を含むページングを開始するように構成されたコントローラと、
を備え、
前記コントローラは、さらに、前記コントローラが前記ページングを開始した後であって、かつ前記コントローラが前記動的情報の配信要求を前記加入者から受信する前に、前記メモリに保存された前記動的情報を更新するように構成され、
前記コントローラは、さらに、前記通知にしたがって送信要求を受信したことに応じて、前記メモリから更新された動的情報を送信するように構成される、
システム。
【請求項１２】
請求項１１に記載のシステムにおいて、前記動的情報が気象情報を含む、システム。
【請求項１３】
請求項１１に記載のシステムにおいて、前記動的情報が音楽を含む、システム。
【請求項１４】
請求項１１に記載のシステムにおいて、前記動的情報がプログラムデータを含む、システム。
【請求項１５】
請求項１４に記載のシステムにおいて、前記プログラムデータがプログラムアプリケーションまたはプログラムアプリケーションの更新を含む、システム。
【請求項１６】
請求項１１に記載のシステムにおいて、前記動的情報が映像を含む、システム。
【請求項１７】
請求項１１に記載のシステムにおいて、前記動的情報が、ユーザがダウンロードするオーディオまたはビデオ情報を選択できるメディアリストを含む、システム。
【請求項１８】
請求項１１に記載のシステムにおいて、前記メモリがインターネットに接続されている、システム。
【請求項１９】
請求項１１に記載のシステムであって、前記コントローラは、さらに、１つの情報が前記加入者に配信された旨を、前記加入者データベースにおいて示すように構成されている、システム。
【請求項２０】
請求項１１に記載のシステムであって、前記コントローラは、さらに、１つの情報が前記加入者によって読まれた旨を、前記加入者データベースにおいて示すように構成されている、システム。
【発明の詳細な説明】
【技術分野】
【０００１】
（技術分野）
本発明は、選択的ページング（ページング：ポケットベル等の無線呼び出し）を行うページング送受信機および方法に関し、特に、ページング送受信機または遠隔地に記憶された情報を選択的に消去するページング送受信機および方法に関する。
【０００２】
本発明はさらに、メッセージに対して選択的に処理を働きかけるページング送受信機および方法に関し、特に、メッセージを選択的に読み出すページング送受信機および方法に関する。
【０００３】
本発明はさらに、選択的ページングを行うページング送受信機および方法に関し、特に、任意の時間に情報に対して選択的に処理を働きかけるページング送受信機および方法に関する。
【０００４】
本発明はさらに、選択的ページングを行うシステムおよび方法に関し、複数ソースにおいて受信したメッセージに応じて選択的ページングを行うシステムおよび方法に関する。
【背景技術】
【０００５】
（背景技術）
一般に、ページング受信機は４種類のいずれか一つに分類できる。警報音または音のみのページング受信機、数字ページング受信機、英数字ページング受信機、ボイスページ受信機である。これらページング受信機全てに共通する特徴の一つは、空気の波動をモニタし、ユーザの特定アドレスを検知した場合に、それをユーザに通知することである。警報音または音のみのページング受信機の場合、ページング受信機は自身のアドレスを検知すると、音またはビープ音を発する。他のページング受信機は、自身のアドレスを検知すると、アドレス信号に関連するメッセージを追加的に記憶して、それを表示または再生してユーザに通知する。数字ページング受信機の場合、メッセージは一組の数字からなる。たいていは発呼者の電話番号である。英数字ページング受信機の場合、メッセージは数字または文字の一方あるいは両方からなる。したがって、英数字ページング受信機のユーザは、電話番号と文章という形でメッセージを受信する。ボイスページング受信機の場合、ボイスメッセージが記憶され、ユーザは後にこれを再生して聞くことができる。
【０００６】
一般にページング受信機は小型の電子装置なので、ページングシステムの基地局から受信したメッセージを記憶するメモリの容量には制限がある。メモリサイズが比較的小さいので、ページング受信機が記憶できるメッセージの数は限られている。ユーザはメモリからメセージを消去できるが、メッセージを書き取るまで、あるいはその呼び出しに応じるまで、一時的にメッセージを保存したい場合が多々あろう。しかし、メッセージがメモリに保存されていると、新たなメッセージを記憶するために使用可能なメモリスペースが少なくなる。メッセージサイズが大きくなり、ユーザがより多くのメッセージを受信するようになるにつれて、メモリスペースに関するこの要求は増大している。より多くのメッセージに対処するためにメモリ増設は可能であるが、増設メモリに対して追加的な費用とスペースが必要になる。これらは、ページング受信機を小型かつ安価に保つという希望に反する。したがって、メモリを効率的に使用しながらメッセージを表示できるページング受信機が望まれる。
【０００７】
ページング受信機メモリに関する要求に加えて、呼び出し数の増加や、送信メッセージサイズの増大につれて、ページングシステムは、より困難な問題に直面している。ページ
ングシステムがページング受信機の送信アドレス信号のみに注目していた初期段階では、ページングシステムが送信する各メッセージのサイズは比較的小さかった。しかし、ページング受信機およびページングシステムは飛躍的に進歩し、最近のページングシステムは、アドレス信号以外に数百キロバイト以上のメッセージを送信できる。さらに、ページング受信機の多くは、実際、ページングシステムを介して受信確認信号を返送できるページング送受信機である。したがって、メッセージサイズの増加ばかりでなく、ページング送受信機からページングシステムに送信される返事信号によっても、ページングシステムの性能が試されている。したがって、ページングシステムの未来は、データ送信の数や大きさを制御し、かつ、サービスの質を犠牲にせずにユーザに付加的な特徴を提供できる能力にかかっている。
【０００８】
上記の通り、ページング送受信機の多くは、受信メッセージに対する返事や受信確認を基地局に送信できる。基地局はこうした返事や受信確認を受信しない間はメッセージが受信されていないと仮定して、返事や受信確認を受信するまでメッセージ送信を繰り返す。基地局は高パワーでページング信号を送信するので、基地局アンテナが網羅する領域内にいるページング送受信機は通常全て容易にこの信号を受信する。しかし、ページング送受信機は低パワーレベルで動作しなくてはならないので、基地局に信号を到達させるために充分な程高いレベルで信号を送信できないことが多々ある。例えば、ページング送受信機がビルの地下や地下鉄、あるいは飛行機内にある場合、ページング受信機が発した返事は基地局に到達できない。この結果、基地局はページング送受信機に対する呼び出し送信を続け、ページング送受信機はメッセージの受信を続けるが、基地局はこのページング送受信機が送信した返事を検出できないままである。こうした不必要なメッセージの重複や、ページング送受信機からの非効率な信号送信により、ページングシステムおよびページング送受信機の貴重な資源が消費される。
【０００９】
安全上の理由から、ユーザはページング送受信機をオフ状態にしておくことがあるだろう。例えば、ユーザが飛行機内にいる場合、ページング送受信機からの送信は飛行機のコックピット内の機器や通信を妨害する可能性がある。したがって、飛行機内や、ページング送受信機が送信する信号の干渉に敏感なその他の電子装置の周辺では、ページング送受信機は使用されるべきではない。また、ユーザが起爆性物質用の電子起爆部が存在する環境下にいる場合、ページング送受信機が送信する信号が爆発を誘引する可能性がある。しがたって、呼び出し受信に対しても返事または受信確認信号を返信しないように、ページング送受信機のスイッチを切っておかねばならない。こうした状況下でページング送受信機が返事信号を発信することは危険かもしれないが、基地局が送信した信号は無事にページング送受信機に受信されるかもしれない。ページング送受信機はメッセージを受信すると返事を自動発信するので、ユーザに危険が及ばないために、ページング送受信機をオフ状態にしておかねばならない。ページング送受信機を切っておかねばならない間、ユーザは呼び出しやメッセージを受信できない。したがって、メッセージ受信をユーザに通知するが、返事メッセージまたは受信確認を基地局に自動送信しないページング送受信機が必要とされている。
【発明の概要】
【発明が解決しようとする課題】
【００１０】
本発明の目的は、ページング受信機内のメモリを節約するページャ送受信機、ページャシステムおよびページング方法を提供することである。
【００１１】
本発明の別の目的は、貴重な放送時間(air time)を節約するページャ送受信機、ページャシステムおよびページング方法を提供することである。
【００１２】
本発明の更に別の目的は、ユーザがメッセージを遠隔制御できるページャ送受信機、ペ
ージャシステム、ページング方法を提供することである。
【００１３】
本発明の別の目的は、メッセージに処理を働きかける時間と方法をユーザが選択可能なページャ送受信機、ページャシステムおよびページング方法を提供することである。
【００１４】
本発明の別の目的は、メッセージ受信をユーザに通知するページャ送受信機、メッセージシステムおよび方法を提供することである。
【００１５】
本発明の別の目的は、遠隔地に記憶されたメッセージをユーザが制御できるページャ送受信機、メッセージシステムおよび方法を提供することである。
【００１６】
本発明の別の目的は、複数ソースのメッセージ受信をユーザに通知するページャ送受信機、メッセージシステムおよび方法を提供することである。
【００１７】
本発明の別の目的は、情報に処理を働きかける時間をユーザが設定できるページャ送受信機、メッセージシステムおよび方法を提供することである。
【００１８】
本発明の別の目的は、複数ソースからのメッセージ受信をユーザに通知するメッセージシステムおよび方法を提供することである。
【課題を解決するための手段】
【００１９】
（発明を実施するための最良の形態）
本発明は、選択的ページング方法およびシステムに関する上記の問題を解決する。ページングシステムは、ページング送受信機にメッセージを受信を通知するが、関連メッセージを最初は送信しない。メッセージ受信を通知されたユーザは、都合の良い時に全メッセージをダウンロードする。これによってユーザは、費用の安いオフピーク時にメッセージをダウンロードでき、また、メッセージ受信および返信が容易に行える場所にページング送受信機を置いておくこともできる。最初はメッセージがページング送受信機に送信されないので、ページング送受信機のメモリサイズを最低限増設するだけで、より多くのページを受信、記憶できる。さらに、全メッセージが自動送信されず、また、充分に強いパワーで返信できる場所にユーザがページング送受信機を置けるので、ページングシステムのトラフィックを制御して、実際に軽減できる。
【００２０】
このシステムでは、全メッセージを送信せずに、呼び出しに関する識別子情報をユーザに送信してもよい。例えば、電子メール、音声、文章等といったメッセージの種類を基地局で判断して、発呼者や、メッセージに関する説明を表示してもよい。それによってユーザはメッセージの優先度を判断し、そのメッセージに対して、読み出し、再生、消去、保存、転送、返事送信等々の処理を行うか否かを決定する。またユーザはページング送受信機から離れた場所に記憶されたメッセージも制御でき、ページング送受信機から、これらのメッセージを消去または保存できる。ページング送受信機はタイマを有してもよく、これによってユーザは、ページング送受信機がメッセージに対して特定の時間に所望の機能を行うようにプログラムできる。
【００２１】
本発明に関するページング送受信機は、ページング送受信機または遠隔地のシステムに記憶された情報を消去してもよい。ページング送受信機は、ページング送受信機の情報を消去するか、ページング送受信機およびシステム双方の情報を消去するかを、ユーザに確認することが好適である。ページング送受信機の情報のみを消去する場合、メモリに記憶されている情報の識別子は消去しない。この結果、ユーザが消去済メッセージを後から読み出したい場合、ページング送受信機は識別子情報をシステムに送信して、システムからこのメッセージを読み出すことができる。ページング送受信機はメモリ内のメッセージを
上書きしないことで、もしユーザが後にそのメッセージを欲しい場合に、システムを呼び出さずにそのメッセージを回復できることが好適である。システムに記憶された情報を消去することで、ユーザはシステムのメモリスペースを節約できる。したがって、ページング送受信機によってユーザは、遠隔地に記憶された情報を遠隔操作できる。
【００２２】
最初にユーザに送信される情報は、メッセージの記憶場所を示してもよい。例えば、あるシステムが特定のページング送受信機を呼び出して、呼び出し受信を通知しようとする場合、このシステムが実際にメッセージを記憶しているシステムである必要はない。代わりに複数のシステムがメッセージ内容を記憶し、１つ以上のシステムがページング送受信機を読み出すのであってもよい。ページング送受信機は、メッセージを記憶しているシステムに関する情報を十分に与えられるので、このシステムと通信できる。したがって、ページング送受信機を呼び出しているシステムは、メッセージのソースや種類に関係なく全受信メッセージをユーザに通知することで、他のメッセージシステムに対して情報センタの役割を果たす。
【００２３】
ページング送受信機はタイマを有しても良い。これによってユーザはページング送受信機をプログラムして、特定の時間に所望の機能をメッセージに行うことができる。タイマはユーザ制御のオプションであることが好適であり、例えば、特定の時間にある動作を誘引するように動作してもよい。ユーザまたは、情報を記憶するシステムによって、トラフィックが少ないオフピーク時間にタイマ時間を一致させてコスト削減を計ることは有益である。あるいは、特定の時間遅延後または任意の時間にタイマ時間が切れるように、ユーザがタイマをプログラムしてもよい。したがって、例えば、ストックされた情報を常に午後４時に受信するようにページング送受信機を設定してもよい。さらに、情報ソース毎に異なる時間をタイマに設定してもよい。この結果、あるソースからの情報は常に第一の時間に配信され、第二のソースからの情報は第二の時間に配信される。
【００２４】
最初にユーザに送信される情報は、メッセージの記憶場所を示してもよい。例えば、あるシステムが特定のページング送受信機を呼び出して、呼び出し受信を通知しようとする場合、このシステムが実際にメッセージを記憶しているシステムである必要はない。代わりに複数のシステムがメッセージ内容を記憶し、１つ以上のシステムがページング送受信機を読み出すのであってもよい。ページング送受信機は、メッセージを記憶しているシステムに関する情報を十分に与えられるので、このシステムと通信できる。したがって、ページング送受信機を呼び出し中のシステムは、メッセージのソースや種類に関係なく全受信メッセージをユーザに通知することで、当該システムは、他のメッセージシステムに対して情報センタの役割を果たす。
【図面の簡単な説明】
【００２５】
【図１】本発明の実施の形態に係るページング送受信機のブロック図である。
【図２】図１のページング送受信機における送受信機をより詳細に示すブロック図である。
【図３】本発明の実施の形態に係る通信システムを示すブロック図である。
【図４Ａ】図４Ａは、図３のシステムと、図１の送受信機間で通信を確立する手順の例を示すフローチャートである。
【図４Ｂ】図４Ｂは、図３のシステムと、図１の送受信機間で通信を確立する手順の例を示すフローチャートである。
【図５】ページング処理を示すフローチャートである。
【図６】未読メッセージをページング送受信機に通知する処理を示すフローチャートである。
【図７】図１のページング送受信機における呼び出し受信処理を示すフローチャートである。
【図８】図１のページング送受信機における機能選択処理を示すフローチャートである。
【図９】図１のページング送受信機が所望の機能を実行するために行う選択処理を示すフローチャートである。
【図１０】メッセージ記憶用の複数システムを有するページングシステムを示すブロック図である。
【図１１】図１０のシステム用データ送信を示す図である。
【発明を実施するための形態】
【００２６】
本発明に係る好適な実施の形態を詳細に説明する。この実施の形態は添付の図面に示されるが、この形態に限定されるものではない。図１において、本発明の実施の形態に係るページング送受信機１００は、アンテナ１、送受信機２、ユーザインタフェース３、コントローラ４、メモリ５を有する。一本のアンテナ１を信号の送受信に用いることが好適であるが、ページング送受信機１００は、信号送信用アンテナと、受信用アンテナとを別個に有してもよい。
【００２７】
送受信機２はアンテナ１に接続し、ページング送受信機１００からの信号を送信し、また、ページング送受信機１００向けの信号を受信する。ページング送受信機１００が送受信する信号は、選択的コール信号、コマンドデータ信号、メッセージ対応信号、情報データ信号等を含むが、これらに限定されるわけではない。送受信機２は、２方向ページャまたは携帯ラジオに見られる送受信機であって、携帯無線電話機において共通に使用される送受信機であることが好適である。
【００２８】
送受信機２はユーザインタフェース３に接続する。ユーザインタフェース３は、必要な全入力および出力装置を含む。ユーザインタフェース３は、マイク、スピーカ、警報変換機、ＬＥＤまたはＬＥＤディスプレイ、キーボード、必要なスイッチを有する。また、メッセージングアプリケーションに応じて、その他の種類の入出力装置を有してもよい。例えば、ビデオディスプレイ、カメラ、スキャナ、プリンタ、ボイス認識装置等である。ユーザインタフェース３はこれらの入出力装置の例に限定されることはなく、ユーザとページング送受信機１００との通信を可能あるいは支援する任意の入出力装置を有してもよい。
【００２９】
送受信機２はコントローラ４に接続して、これと通信する。コントローラ４は、デジタル信号プロセッサ（ＤＳＰ）４を有することが好適である。メモリ５はＤＳＰ４と接続し、メッセージやその他の種類の情報を記憶する。メモリ５は、スタティックＲＡＭ、ダイナミックＲＡＭ、フラッシュＲＡＭあるいは、メッセージの記憶と読み出しに適する任意のメモリであってもよい。メモリ５の容量は、ボイスまたはテキストアプリケーション用に少なくとも４ＭＢあることが好適であるが、特定メッセージタイプのアプリケーションによっては、これより多いあるいは少ない容量でも良い。
【００３０】
図２に詳細に示すとおり、送受信機２は、アンテナインタフェース２０を含む。アンテナインタフェース２０はアンテナ１に接続する。アンテナインタフェース２０はアンテナ１から受信した信号をページング送受信機１００の受信部２１に送信し、また、送信部２４から受信した信号をアンテナ１に送信する。アンテナインタフェース２０は送受信自動切替スイッチであることが好適であるが、アンテナスイッチや他の装置を用いて、受信部および送信部２１、２４との間で信号分離を行ってもよい。また、ページング送受信機１００が、信号送信用アンテナ１本、信号受信用アンテナ１本の合計２本のアンテナを有する場合、送受信機２はアンテナインタフェース２０を必要としない。
【００３１】
受信部２１は受信機２２と、受信機周波数シンセサイザ２３とを有する。受信機２２は
アンテナインタフェース２０を介してアンテナ１に接続し、ページング送受信機１００に向けた信号を受信する。受信機周波数シンセサイザ２３は、プロセッサ２７に基づき、受信機２２の信号受信周波数を選択する。受信信号は、受信機２２からプロセッサ２７に送られる。
【００３２】
送信部２４はプロセッサ２７からの信号を受信する送信機２５を含む。送信部２４は、さらに送信機周波数シンセサイザ２６を含む。送信機周波数シンセサイザ２６は送信機２５に接続し、送信機２５は、プロセッサ２７からの入力に基づいて送信機２５の送信周波数を選択する。送信機２５から出力された信号は、アンテナインタフェース２０に送信され、さらにアンテナ１に送信される。
【００３３】
プロセッサ２７は、内部メモリと、切り替え性能を有する中央処理装置（ＣＰＵ）を有する。ＣＰＵ２７は、例えば、必要な全ＲＡＭおよびＲＯＭメモリ、信号／データ切替え回路、信号処理回路、Ｉ−Ｏポート、全標準プログラムインストラクション、および携帯電話において共通に使用される保存オプションを有する。標準携帯電話プログラムインストラクションおよびプロセッサ２７は、多様なサプライヤから取得してもよい。例えば、インストラクションは、カリフォルニア州ＳｕｎｎｙｖａｌｅのＷｉｒｅｌｅｓｓ  Ｌｉｎｋ  Ｉｎｃ．から、またプロセッサ２７は同州Ｓｃｏｔｔｓ  ＶａｌｌｅｙのＧＥＣ  Ｐｌｅｓｓｅｙ  Ｓｅｍｉｃｏｎｄｕｃｔｏｒ．  Ｉｎｃ．から、それぞれ取得してもよい。
【００３４】
ＤＳＰ４は、必要なＩ−Ｏおよびプログラムメモリを含み、携帯電話において共通に使用される。適切な任意のＤＳＰをページング送受信機１００に用いてもよい。あるいは、コントローラ４はその他の種類の電子装置を有してもよい。例えば、コデック、デジタルアナログ／アナログデジタル変換回路、メッセージメモリ５に接続してメッセージの読み書きを行うメモリインタフェース回路を有するその他の種類の変調器／復調器等である。
【００３５】
送受信機２は遅延回路２８を有することも好適である。遅延回路２８はタイマを有し、これによって、プロセッサ２７にタイマ時間が切れることを通知する。例えば、タイマは一日、一週間、一ヶ月のある時点でタイマ時間が切れるようになってもよいし、何らかの処理（イベント）を行ってから一定の時間後、例えば処理後一時間等にタイマ時間が切れるのでもよい。タイマ２８に設定する時間は、ユーザインタフェース３およびプロセッサ２７を介してプログラム可能であることが好適である。さらに、タイマ２８は複数のタイマを有し、プロセッサ２７に複数の異なる時間切れを通知することが好適である。またタイマの代わりに遅延回路２８を作動させて、特定の条件が整うまで、処理（イベント）を行う時間を遅延させてもよい。この条件とは、例えば、受信信号強度や特定信号の受信であってもよい。次に、タイマ２８の目的を説明し、これを明らかにする。
【００３６】
図３において、本発明の実施の形態に係るシステム３０は基地局３４と相互接続しており、双方は、ＰＳＴＮまたは他の電話会社装置３５に接続している。システム３０はページングターミナルコントローラ３１を有し、ページングターミナルコントローラ３１は、制御回路と、これに関連するメモリとを有する。メモリは、契約者リストと、対応する選択コールアドレスフィールドのデータベースとを有する。ページングターミナルコントローラ３１は保存／読み出しユニット３２と通信して、メッセージを契約者リストと関連づける。保存／読み出しユニット３２は、ＣＰＵまたは制御回路、メッセージ情報およびプログラムメモリ、メモリインタフェース回路、およびＤＳＰを有する。ＤＳＰは所望のメッセージを記憶および読み出すための適切なオペレーションコードを有する。入出力コントローラ３３は必要な全入出力回路を有する。エンコーダやデコーダ、ページングターミナルコントローラ３１と通信するためのモデムや必要なルーティングおよび制御回路、保存／読み出しユニット３２、ＰＳＴＮ３５、基地局３４等である。
【００３７】
システム３０と基地局３４との間の通信を確立するためのコール設定ルーティン４０を、図４Ａ、図４Ｂを参照しながら説明する。ステップ４１では、電話接続等の接続がＰＳＴＮ３５、ページング送受信機１００の場合はスイッチ３６、を介して入出力コントローラ３３にルートされる。ステップ４２で、入出力コントローラ３３は、この接続が自動信号装置または手動のいずれによって行われたかを検出する。手動で行われた場合、ステップ４８において保存／読み出しユニット３２が作動して、コール成立中に１つ以上のボイス反応を生成し、処理を行う人に対して処理の案内を行う。
【００３８】
ステップ４２において、コールはページング送受信機１００又はコンピュータ端末などの装置からであると入力／出力コントローラ３３が判断すると、ステップ４３においてページング送受信機１００とシステム３０との間でデータが交換される。交換できるデータのタイプには、識別データ、コマンドデータ、及び情報データが含まれるが、これらに限定されない。ＰＳＴＮ３５から供給されるデータが、例えば、発呼者ＩＤ及びＤＮＩＳ（呼び出し番号識別サービス）などの、発呼者及び加入者の識別子を含む場合、ステップ４３においてこの情報も交換可能である。さらに、基地局３４から情報を抽出することもできる。例えば、ページング送受信機１００の所在はホームロケーションレジストリ（ＨＬＲ）により判定できるので、ページング送受信機１００にシステム３０に対して位置情報を供給させるのではなく、システム３０がＨＬＲデータを利用してページング送受信機１００の所在を判断することもできる。
【００３９】
ステップ４３におけるデータ交換の後、システム３０は、システム３０とページング送受信機１００との間のデータ送信中にエラーが発生したか否かを判断する。エラーが発生した場合、ステップ４７において処理が終了し、ページング送受信機１００にこのエラーが通知される。このエラーは、好ましくは、警告音もしくはＬＥＤまたはＬＣＤディスプレイ上の可視表示などを用いて、ユーザインターフェースで生成されたステータス情報としてユーザに示される。エラーには、「システムがビジーである」、「不正ＩＤ」または「料金未払い」などが含まれるが、これに限られない。一方、ステップ４４においてシステム３０がエラーを検出しなかった場合、ファンクション（機能）が許可されステップ４５において実行される。この機能については、図８に関連して後により詳細に説明するが、ユーザにより利用可能な機能の集合から選択することができる。ステップ４６において、ページング送受信機１００及びシステム３０のいずれにおいてもハウスキーピング機能が実行され、ステップ４７においてコールが終了する。
【００４０】
ステップ４２においてコールが人からであると判断された場合、ステップ４８において発呼者に音声応答が提供され、図４Ｂに示されるように、ステップ４９において発呼者には音声による情報の入力が指示される。ステップ５０において、発呼者は、電話機のキーパッドを押してＤＴＭＦトーンを生成するなどして、システム３０にデータを送信する。発呼者によって送信できるデータには、ＩＤコード、パスコード、メイルボックスコード、メールボックス番号及び加入者番号が含まれるが、これに限定されない。システム３０は、コレクトコールの除外に電話会社が現在使用しているような、使用の簡単な音声認識システムを利用して、発呼者からの音声コマンドに応答する。ステップ５１において、システム３０はエラーが発生したか否かを決定する。エラーが検出された場合、発呼者にエラーを訂正する機会を与えてもよいし、図示されるように、ステップ５６において処理を終了してもよい。ステップ５１においてシステム３０がエラーを検出しなかった場合、ステップ５２において、音声メッセージなどのメッセージが保存読み出し装置３２に記録保存される。ステップ５３において、システム３０は、返信受領情報又は返答メッセージが要求されているか否かを判定する。返信受領情報又は返答メッセージが要求されている場合、返信メッセージが発呼者によって入力され、あるいはシステム３０により任意に提供され、ステップ５４において保存読み出し装置３２に保存される。例えば、システム３０
は着呼のアドレス信号を検出し、デフォルトによってこの番号を返信アドレスとして保存してもよい。ステップ５４において返信アドレスが保存されると、あるいは返信アドレスが要求されていない場合、ステップ５５において、目的のページング送受信機１００に対応する選択的コールデータに、保存されたメッセージを相互照会する。さらに、ステップ５５においては、ページング端末コントローラ３１において送信スタックファイルにフラグをセットし、続いて、選択的コールデータを表す選択的コール信号を目的のページング送受信機１００に送信する。システム３０によりハウスキーピングを実行し、ステップ５６においてコールを終了する。
【００４１】
図３に示すように、基地局３４は、交換機（switch）３６、送受信機アンテナ３７、及び送受信機基地局３８を含む。受信メッセージに応答し、システム３０は交換局３６に呼び出しコールを確立するための制御情報を送る。交換局３６は、例えば、送受信機基地局３８とのインターフェースとなる移動電話交換局（ＭＴＳＯ）でもよい。呼び出し送信モード（send page mode）では、ページング送受信機１００に関連するアドレスを有する選択的コール信号が送信される。このアドレスは、ページング送受信機用のアドレスコードでもよいし、移動無線電話用の移動電話番号（ＭＩＮ）でもよいし、あるいは通信装置の識別子の一種でもよい。
【００４２】
コマンドデータ及び情報データは、基地局３４を介してシステム３０からページング送受信機１００に通信することもできる。以後、コマンドデータ及び情報データをＣＩデータと呼び、その例として以下を含む。すなわち、ページング送受信機位置、メッセージ転送、メッセージ読み出し、メッセージへの返信、ページング送受信機ＩＤ、メッセージ識別子、読み出し指示、メッセージ保存、メッセージ消去、メッセージタイプ、メッセージ長、メッセージ受信日時、システム３０用ＩＤ、システム３０の位置、メッセージアドレス、メッセージ位置、バッテリ寿命、メッセージ識別子、フォーマットコード、圧縮タイプ、メッセージの古さ（message age）、メッセージの優先度、警告コード、節電コマン
ド、メモリステータス、プログラムデータ、暫定データ、受信確認データ（acknowledgement data）及び要求、機能コード、発信者名、現在時刻、メッセージ数、メールボックス番号、電話番号、返信アドレス、英数ショートメッセージ、一般コマンド要求、グループコール、及び信号強度が含まれる。
【００４３】
アドレス及びコマンドデータ及び情報は、任意の適当な通信システムによって送信することができる。例えば、データは、ページングシステム、ＧＳＭ−ＳＭＳなどのショートメッセージサービス能力のあるセルラシステム、及びセルラディジタルパケットデータ（ＣＤＰＤ）システムによって通信できる。さらに、ページング送受信機１００は、好ましくは１つ以上のシステム、例えばページングネットワークと移動無線電話ネットワークの両者によって通信が可能である。
【００４４】
図５には、呼び出しコールを実行するためのフローチャート６０が示されている。ステップ６１において、システム３０はページング端末コントローラ３１内のその送信スタックから現在のメッセージフラグを検索し、呼び出しコールを確立すべく基地局３４と通信する。基地局３４は、選択的コール信号とＣＩデータを、目的ページング送受信機１００に送信する。ステップ６２において、システム３０は、呼び出しコールの受信を示す受信確認（Ａｃｋ）をページング送受信機１００から受信したか否かを判断する。受信確認が受信されていない場合、ステップ７０において、システム３０は受信確認がシステムのオプションであったかどうかを判断する。受信確認がオプションとして要求されていれば、ステップ７１において、システム３０はこの呼び出しコールに送信スタックにおける優先度を付与し、ステップ６１に戻って再び送信する。ステップ６２において受信確認が受信されれば、ステップ３０は保存されたメッセージに対応する受信確認フラグ（Ａｃｋフラグ）を立てる。
【００４５】
ステップ７０において、受信確認がシステムに要求されていない場合、あるいは、ステップ６３において受信確認フラグを立てた後、ステップ６４においてシステム３０はタイマーをセットし、ステップ６５に進む前に一定時間待機する。ステップ６５において、ページング端末コントローラ３１は保存されたメッセージが既読かどうかを判断する。メッセージが既読であれば、ステップ６６において、システム３０は加入者データベースに既読フラグを立て、メッセージが配信されて読まれたことを示し、続いてステップ６７において処理を終了する。
【００４６】
ステップ６５においてメッセージが未読である場合、システム３０はステップ６８においてメッセージの優先度を判定し、ステップ６９に進む。ステップ６９において優先度が高いと判断されれば、ステップ６１に戻り、呼び出しコールが送信スタックの指定された優先度レベルに戻り、再送信される。一方、ステップ６９において優先度が高くない場合、そのメッセージは優先度が低く、処理はステップ６７において終了する。
【００４７】
未読のメッセージが待機中であることをページング送受信機１００に知らせるための別のルーチン８０が図６に示される。ステップ８１において、ページング端末コントローラ３１は、保存及び読み出し装置３２に対応する未読及び未通知メッセージを有する加入者リストを分類し、基地局３４に呼び出し要求を送信する。ステップ８２において、交換局３６はホームロケーションレジストリ（ＨＬＲ）をチェックして遠隔地にあるページング送受信機１００の登録位置及びステータスを判定する。送受信機基地局３７から選択的コールを送信することによりステップ８２において呼び出しコールが処理される。ページング送受信機１００の受信者が選択的コール信号を受信したという呼び出し受信確認を、確認のために望む場合、受信確認信号がページング送受信機１００から基地局３４に手動による指示又は自動的に送られ、ステップ８２においてページング端末コントローラ３１の加入者データベースに保存される。
【００４８】
ステップ８３において、保存読み出し装置３２に保存された未読メッセージに対応する加入者データベースに通知済みフラグが立てられ、現在の未読メッセージに対するページング処理がステップ８４において終了する。ステップ８２において、受信確認信号が受信されていない場合、メッセージに新たな優先度が付与されて処理が繰り返される。オプションとして、複数の優先度を受信確認された及びされない未読メッセージに付与し、メッセージが加入者によって読まれるまで、複数のコールをページング送受信機１００に送ってもよい。
【００４９】
好ましい実施形態においては、基地局３４は移動無線電話ネットワークの一部であり、ページング送受信機１００は、ネットワークの指定ページングチャネルまたは制御チャネルを介して呼び出される。ページング送受信機１００の呼び出しに加え、ページング送受信機１００に送信されるショートメッセージや他のデータも、好ましくはページングチャネル又は制御チャネルにより送信される。ページングは、好ましくは移動無線電話ネットワークを介して実行されるが、選択的コール信号をページングシステムにルーティングし、アドレスコード及びＣＩデータを、独立したページング送信機を介して送信することもできる。このような構成の場合、ページング送受信機１００を、上記ページング送信機又はページング送受信機と適合性のある個別のページング受信機又は送受信機を備えるように構成してもよい。無線ページャ装置は、携帯セルラ電話に比べて必要なエネルギがかなり小さいので、低エネルギページング受信機を備えたページング送受信機１００によって、選択的コール信号を受信するために必要なエネルギが低減し、ユーザがメッセージの読み出し又は送信を必要とするまでページング送受信機１００の高エネルギ回路をオフにしておくことができる。他の変更及び修正が、当業者には明らかである。
【００５０】
ページング送受信機１００においてメッセージを受信するための処理９０を図７に示す。まず、ステップ９１において、アドレスを含む選択的コール信号を、送受信機１００の受信部２１によって受信する。ステップ９２において、復調された信号をＣＰＵ２７によって処理し、受信アドレスをＣＰＵ２７のメモリに記憶されたアドレスコードと比較する。受信アドレスが、記憶されたアドレスと一致しない場合、フローはステップ９２に戻り、送受信機１００は継続してそのアドレスの送信をモニタする。ステップ９２において、受信アドレスが予め保存されたコードに一致すると、ＣＰＵ２７は、ステップ９３において任意の対応受信ＣＩデータを保存する。
【００５１】
次に、ステップ９４において、ＣＰＵ２７は、ページング送受信機１００が受信確認の送信を要求しているか否かを判断する。ＣＰＵ２７は、選択的コール信号が目的ページング送受信機１００によって受信されたことをシステム３０又は基地局３４において確認するために、常に受信確認を許可できてもよい。あるいは、ＣＰＵ２７が送受信機１００からの受信確認を許可できないようにすることもできる。これは、かかる送信が危険な、起爆物が存在する環境（explosive environmenets）において、またページング送受信機１
００からの返信が他の電子機器に有害な干渉を生じる可能性がある環境では効果的である。別のオプションとしては、受信確認データが、遠隔要求などによって、受信されたＣＩデータに含まれている場合にのみ，ＣＰＵ２７が受信確認の送信を許可することもできる。あるいは、ユーザによって許可されたコマンドに応答してＣＰＵ２７が受信確認を認めてもよい。
【００５２】
再びステップ９４に戻って説明する。ページング送受信機１００に受信確認の送信が認められている場合、ステップ９５において、ＣＰＵ２７は、受信確認が要求されているか、あるいは受信確認がユーザオプションであるかを判断する。自動的な受信確認が要求されていれば、ステップ９７において、受信確認フラグを立てる。一方、受信確認が自動ではなく選択的である場合には、ステップ９６において、ＣＰＵ２７が受信確認が許可されているか否かを判断する。受信確認が許可されていれば、ステップ９７において受信確認フラグを立てる。
【００５３】
ステップ９８において、ＣＰＵ２７は、ショートメッセージが送信されているかを判断する。ショートメッセージには、ＣＩデータまたはユーザによりページング送受信機１００に予め保存されたいかなる種類の符号化されたショートメッセージが含まれる。ショートメッセージが許可されていれば、ステップ９９において、ＣＰＵ２７はショートメッセージフラグを立てる。ステップ１００において、ページング送受信機１００は、ＣＩデータを含む、フラグを立てた全データを、システム３０により処理すべく基地局３４に送信する。ＣＰＵ２７は、受信したＣＩデータに対応するステータス情報を生成し、任意の必要なユーザステータス情報をユーザインターフェース３に送り、ユーザはこれをビジュアルと音声の少なくともいずれかの方法で受信する。例えば、ユーザは、警告ビープ音を聞いてもよいし、警告振動を感じてもよいし、未読メッセージ数を示すＬＣＤを見てもよいし、グラフィックアニメーションのディスプレイを見てもよいし、緊急メッセージが待機していることを示す合成音声を聞いてもよいし、または上記以外の表示を受信することもできる。ステップ１０１において、ＣＰＵ２７はハウスキーピング機能を実行し、ルーチンが終了する。
【００５４】
図８は、ページング送受信機１００においてユーザが選択可能な機能要求を示すユーザ機能のフローチャート１１０である。ステップ１１１において、ユーザは、利用可能な機能１１２から１１７より、実行すべき機能を選択する。これらの機能は利用できる例示的な機能であって、これ以外の機能が存在してもよい。これらの機能の内の一つ以上が、好ましくはユーザインターフェース３によって選択される。ステップ１１２においては、ユーザはメッセージを１つ又は複数のアドレスに転送することを選択できる。メッセージ及
び送信メッセージリストなどのアイテムは、メッセージ番号又はメッセージ名をスクロールすることにより選択できる。転送する選択されたメッセージは、ページング送受信機１００にあってもよいし、システム３０にあってもよい。また、ユーザはステップ１１３において選択されたメッセージの保存機能を選択することもできる。ステップ１１４においては、選択されたメッセージを、再生、保存の少なくともいずれかの目的で読み出すことができる。ステップ１１５においては、メッセージを、別のページング送受信機１００など、他の１又は複数の受信者に送ることができる。ステップ１１６では、選択されたメッセージの消去が可能で、ステップ１１７では選択されたメッセージの作成者に返信することができる。ステップ１１２から１１７において任意の機能が選択されると、システム３０は情報全体に働きかけてもよいし、あるいは、メッセージ識別子（identifier）にのみ作用してもよい。例えば、ユーザがメッセージを転送するという所望行為を選択した場合、システム３０はメッセージ全体を指定された受信者に送ってもよいし、そのメッセージの識別子のみを送ってもよい。
【００５５】
図９には、図７に示される機能１１２から１１７のいずれか一つの選択に応じてページング送受信機１００が実行する処理が示されている。ステップ１３１において、ＣＰＵ２７によって機能が識別され、他の処理を行ってから、ステップ１３２において、コールが要求されているか否かをＣＰＵ２７によって判定する。機能を実行するためのコールが要求されていない場合、ステップ１３３において、ＣＰＵ２７は要求された機能を実行し、ステップ１４０において処理が終了する。
【００５６】
一方、コールが要求されている場合、ステップ１３４において、コールがすでに発生中であるか否かをＣＰＵ２７が判断する。コールが発生中であれば、ＣＰＵ２７は、ステップ１３５において、システム３０及び基地局３４とデータを交換し、ステップ１３６において機能が実施される。ステップ１３５において交換されるデータには、ページング送受信機１００から送信され、所望の行為及び特定の情報又はメッセージを特定化する要求信号が含まれる。コールが発生中でない場合には、ステップ１３７においてＣＰＵ２７はユーザにコールを発するべきかをたずね、ステップ１３８においてユーザのフィードバックを受信する。ユーザがコールを選択しなければ、ステップ１４１においてそのコールは遅延回路２８にって遅延される。
【００５７】
すでに説明したように、遅延回路２８は、通信量及び通信コストが低い、例えば午前１時などの設定時刻に、あるいは一定時間、例えば一時間後に切れるタイマであってもよい。上記設定時刻または時間は、ユーザによってプログラムしてもよいし、デフォルト値によって決定してもよい。さらに、遅延回路２８は、信号強度が一定しきい値を上回るまで動作を遅延すべく機能してもよい。よって、この例における遅延回路２８は、レベル検出器、及び信号強度をしきいレベルと比較する比較回路とを含んでもよい。このように、遅延回路２８は、信号強度が十分に高くなるまでページング送受信機１００の通信の開始を遅らせるという効果を有する。さらに、遅延回路２８は、ページング送受信機１００が機能の実行以前に、いつ通信を行っているかを判断する通信モニタ回路を含んでもよい。さらに、遅延回路２８は、送信を検出し、受信された通信に応答して特定事象をトリガしてもよい。例えば、ページング送受信機１００は、ある種のメッセージまたは特定供給源又は個人からのメッセージを受信した場合に、プログラムされた行為を自動的に行ってもよい。このように、ページング送受信機１００は、例えば、１受信者から受信した全メッセージを、ある指定された人物に自動的に送ることもできる。
【００５８】
タイマ２８がトリガされた後、あるいはユーザが直ちにコールを要求した場合、ステップ１３９においてＣＰＵ２７は基地局３４へのコールを確立する。コールが確立されると、処理はステップ１３５に進んでデータが交換され、さらにステップ１３６において機能が実行される。ステップ１４０において処理が終了する。図９に示した処理は、単一機能
の実行に限られず、ユーザが複数の機能を選択した場合の処理をも示している。例えば、ユーザはステップ１１４においてメッセージの読み出し機能を、ステップ１１２においてメッセージの転送機能を選択してもよく、これらの機能を同時に又は順次実行してもよい。
【００５９】
ページング送受信機１００とシステム３０とは、ページング送受信機１００によって開始されたコール通信（messaging calls）の間、又はシステム３０によって開始された呼
び出しコールなどの選択的コールによって、ステータス情報を交換することができる。ステータス情報には、ページング送受信機１００またはシステム３０内に保存されたメッセージに対応する情報を含むことができる。例えば、システム３０が、長期にわたってそのメモリに存在していたメッセージ、例えば保存されていない既読メッセージを消去する場合、システムは、そのメッセージがもやは存在しないことをページング送受信機１００に通知してもよい。ページング送受信機１００に保存されているメッセージ識別子が、システム３０又はページング送受信機１００に保存されているメッセージにすでに対応していない場合、ＣＰＵ２７は、そのもはや存在しないメッセージに対する識別子を除去する。
【００６０】
メッセージ転送機能１１２が選択された場合、フローはステップ１３１に進み、ＣＰＵ２７は、ユーザに選択された転送すべき１つまたは複数のメッセージに関する情報を読み取る。この情報には、メッセージ識別子、位置データ、メッセージ長、メッセージタイプ、宛先アドレス、またはすでに説明した他のＣＩタイプデータを含むことができる。ステップ１３２において、ＣＰＵ２７は、システム３０との通信なしではメッセージを転送できないか否かを判断する。ステップ１３４において、ＣＰＵ２７はコールが発生中であるかを判断する。コールが発生中であれば、ステップ１３５において、メッセージ転送のためにＣＩデータがシステム３０と交換される。転送すべきメッセージがシステム３０にある場合、適当なアドレスに転送するためにメッセージにフラグを立てればよい。ステップ１３６において、メッセージが転送され、ページング送受信機１００に確認が通信される。一方転送するメッセージがシステム３０にない場合、メッセージはステップ１３６においてページング送受信機１００からシステム３０に送られ、ステップ１４０において処理が終了する。ステップ１３４において、コールが発生中でないと判断された場合には、ステップ１３７において、メッセージを直ちに転送すべきか否かをユーザに尋ねる。ユーザがイエスを選んだ場合、ステップ１３９においてシステム３０との間にコールが確立され、フローはすでに説明したように継続する。コールをすべきでないとされた場合、ＣＰＵ２７は、システム３０との後のコールの間にメッセージを送るために、転送情報をメモリに保持し、ステップ１４０において処理を終了する。
【００６１】
動作について説明する。ユーザは、転送すべき１つ又は複数のメッセージを選択するとともに、そのメッセージを受信する受信者を選択する。メッセージがシステム３０にある場合、メッセージをアドレス指定された受信者に転送すればよい。メッセージがページング送受信機１００にある場合には、まずステップ１３５においてメッセージをシステム３０に送り、その後意図される受信者に転送することができる。時間の節約のため、システム３０は、同一のメッセージがすでにシステム３０にある場合には、システム３０はページング送受信機１００からのメッセージの受信を受けない。システム３０は、単にすでに存在する複製メッセージ（already present duplicate mesasge）に対して要求される機
能を実行する。
【００６２】
選択された機能がメッセージの保存機能１１３である場合、ステップ１３１において、ＣＰＵ２７は保存すべきメッセージ識別子を読み取る。ステップ１３２において、ＣＰＵ２７は、選択されたメッセージ識別子がメッセージメモリ５にすでに保存されているメッセージに一致するかどうか、さらに選択された機能がオフライン処理可能であるかを決定する。イエスであれば、ステップ１３３において、メッセージメモリ５に保存されたメッ
セージが上書きされないよう保護するために、ＣＰＵ２７は保存メッセージフラグを立て、ステップ１４０において処理を終了する。
【００６３】
ステップ１３２において、メッセージがページング送受信機１００に保存されていないとＣＰＵ２７が判断すると、ステップ１３４において、ＣＰＵ２７はコールが発生中であるかを判断する。コール通信が進行中であれば、システム３０にメッセージの保存を指示するＣＩデータが送られる。システム３０は、保存されたメッセージにフラグを立て、ステップ１３６においてメッセージ保存確認をページング送受信機１００に送信する。ＣＰＵ２７は、この保存確認をステータス情報に変換し、システム３０においてメッセージが保存されたことをユーザに通知し、ステップ１４０において処理を終了する。一方、ステップ１３４において、ページング送受信機１００が現在システム３０と通信中でないと判断されると、ＣＰＵ２７が保存のためにメッセージ識別子にフラグを立て、ステップ１３７においてコールを直ちに発するべきか否かをユーザに尋ねる。ノーであれば、ステップ１３８において、ページング送受信機１００への選択的コールの間、またはシステム３０への通信コールの間など、後にシステム３０に送信するために、フラグを保持する。一方、イエスであれば、ステップ１３９において、ＣＰＵ２７は、すでに説明したように、保存フラグ及びＣＩデータを送信するためのコールを確立する。
【００６４】
ステップ１１４においてメッセージ読み出し機能が選択された場合、ステップ１３１において、読み出すべきメッセージに対応するメッセージ識別子を、メッセージ読み出しのために、ＣＰＵ２７のメモリから読み出す。さらに、ＣＰＵ２７は、すでに説明したように、メッセージ位置情報、システムＩＤ情報、アドレス情報、メッセージ長情報、メッセージタイプ情報を読み出してもよい。ステップ１３２において、ＣＰＵ２７はメッセージの所在を判断し、システム３０へのコールが要求されているかどうかを判断する。メッセージがメッセージメモリ５に保存されている場合、ステップ１３３において、ＣＰＵ２７はメッセージを読み出す。メッセージは、例えば、別の装置への転送を意図された音声メッセージ、ビジュアルメッセージ、テキストメッセージ、又は電子信号でもよい。
【００６５】
ステップ１３２において、メッセージがメッセージメモリ５に存在しない場合、ＣＰＵ２７は、メッセージ読み出しのためのコールが要求されていると判断し、ステップ１３４においてコールが発生中であるかどうかを判断する。コールが発生中である場合、どのメッセージを読み出すか、メッセージ長、メッセージタイプ、及びメッセージ識別子などのＣＩデータをステップ１３５において交換する。ステップ１３６において、メッセージが読み出され、同時にＤＳＰ４によってメッセージメモリ５に保存される。メッセージに対応する適当なステータス情報がＣＰＵ２７によってそのメモリに保存され、ステップ１４０において処理が終了する。ステップ１３４においてコールが発生中でない場合、ステップ１３７において、コールを直ちに発するべきかあるいは別のコール中に発するべきかがユーザに問われる。ステップ１３８において、ユーザがコール生成を選択した場合、ステップ１３９においてコールが確立される。ユーザが別の期間までコールを遅らせることを選択した場合、次の期間に読み出すべくメッセージにはフラグを立てたままで、処理をステップ１４０において終了する。タイマ２８により、選択された時刻にメッセージを読み出してもよいし、読み出し指示をシステム３０からページング送受信機１００に送って、システム３０によって指定された時刻に単数又は複数のメッセージをページング送受信機１００に自動的に読み出させてもよい。例えば、電話の通信料及び放送料金（air time charge）がより安価な夜間に緊急天候情報を自動的に読み出すようにするのが望ましい。
上述のオプションは、以下により詳細に示すように、メッセージの転送、消去、保存、送信、及び返信にも利用できる。
【００６６】
メッセージ送信機能１１５において、メッセージを送信するためには、メッセージは最初にページング送受信機１００又はシステム３０に保存される必要がある。メッセージを
保存又は記憶する方法は、当業者には既知のことがらであるので、ここでは更には説明しない。これらの装置の例は、マシュー等（Matthew et al.）への米国特許第４，６０２，１２９号「Electronic Audio Communications System With Versatile Message Delivery」及びヘルフェリック等（Helferich et al.）への米国特許第Re３４，９７６号「Analog/Digital Voice Storage Cellular Telephone」などに記載され、これらをここに参照の
ために編入する。システム３０及びページング送受信機１００は、必要とされる適用法に応じて、上述のような複数の異なる種類のメッセージを記憶及び保存及び読み出すことができる。
【００６７】
メッセージ送信機能１１５が選択された場合は、ＣＰＵ２７が送信されるメッセージを識別し、選択された受信者のアドレス情報と相互参照する。ステップ１３２では、ＣＰＵ２７は、コールが必要かどうかを決定する。メッセージを送信する後続の処理は、上述のメッセージを転送するものと同様であり、従って本発明の説明を簡潔にするため、ここでは繰り返さない。送信されるメッセージは、ページング送受信機１００にあっても又はシステム３０にあってもよい。もし、メッセージがシステム３０及びページング送受信機１００にある場合、ＣＰＵ２７のメッセージ識別子に対応する、システム３０内のメッセージが、エアタイム（Ａｉｒ  Ｔｉｍｅ）を節約するために送信される。メッセージがシステム３０に無い場合は、メッセージはページング送受信機１００からシステム３０へと送信される。このメッセージがページング送受信機１００から送信される場合は、このメッセージは、あらかじめ保存されていたメッセージでもよく、又はその代わりにこのメッセージは、システム３０とページング送受信機１００の間のコールセッション中に即時にページング送受信機１００からシステム３０に送信されてもよい。
【００６８】
ステップ１１６でメッセージ消去が選択された場合、メッセージ消去機能は機能のモードによって、システム３０又はページング送受信機１００に保存されたメッセージをユーザが消去できるようにする。ページング送受信機１００では、メッセージ識別子を消去することなく、メッセージを消去できる。ページング送受信機１００からメッセージが消去され、識別子がメッセージメモリ５になおも存在する場合は、このメッセージはシステム３０から読み出す事ができる。ページング送受信機１００からメッセージ識別子を除去するためには、メッセージがシステム３０において消去される必要がある。この特徴により、ユーザがプラットフォーム（ｐｌａｔｆｏｒｍ）でメッセージを管理する事を可能にし、保存ユニット３２でのメモリ空間を節約できる。ステップ１３１において、選択された消去するメッセージが識別され、ページング送受信機内の選択されたメッセージを消去するべきかまたは両方のメッセージを消去すべきかをユーザにたずねる。ローカルメッセージのみの消去が選択された場合、メッセージ識別情報は保持され、ステップ１３３でＣＰＵ２７が、メモリ５に保存されたメッセージの消去又は上書のためにフラグをたてる。すなわち、メッセージはなおも存在し上書きされるまではメモリ５から読み出す事もできるが、メモリ空間が必要とされる時には、このメッセージが他のメッセージによって上書きされる場合がある。ステップ１３２において、両方のメッセージを消去することが選択された場合、ステップ１３４において、ＣＰＵ２７がコールが進行中かどうかを決定する。もしそうであれば、ステップ１３５において、ＣＩデータが交換され、システム３０にメッセージを消去するように指示する。ステップ１３６においてシステム３０は、メッセージを消去した、という確認を送信し、ＣＰＵ２７がローカルメッセージの消去のためにフラグをたて、識別子が除去され、両方のメッセージ及び識別子が消去される。
【００６９】
ステップ１３４でＣＰＵ２７が、コールが進行中でないと判断した場合は、ＣＰＵ２７はステップ１３７においてローカルメッセージを消去し、システム３０内のメッセージも消去すべきかどうかをユーザにたずねる。もしそうであれば、ステップ１３９において、コールが確立され、処理は上述のように続く。もしそうでなければ、システム３０との次の通信において遠隔のメッセージを消去するために必要なフラグがたてられ、タイマ２８
が開始される。タイマ２８は、システム３０に保存されたメッセージを時間によって消去する場合に使われてもよい。
【００７０】
メッセージ返信機能１１７は、すでに受信したメッセージへの返信を送信するための機能である。メッセージ返信は、返信するための目標メッセージに、返信アドレスがすでに相関されている他は、メッセージ送信機能と同じ処理を使う。メッセージ送信機能１１５の際には、ユーザが、送信するメッセージのアドレス又は目的地を選択する必要があった。すなわち、ユーザが目的地又はアドレスを先に知っている必要があった。メッセージ返信機能１１７では、返信されるメッセージには対応する返信アドレスがあるため、ユーザは受信者のアドレスを知っている必要が無い。メッセージ送信機能１１５と同様に、返信メッセージは即時に送信されてもよく又は、あらかじめページング送受信機１００に記憶及び保存をしておきシステム３０に送信する事もできる。これに加え、返信の送信は、タイマ２８について上で述べたように、所定の時間遅らせる事もできる。
【００７１】
まとめると、図５及び図６について上で述べたように、システム３０は、メッセージ全体をページング送受信機１００に送信するのではなく、ユーザにメッセージが待機している事を通知する。図７において上で説明したように、ページング送受信機１００はページングに関連するデータを保存し、そして短いメッセージを保存する場合もある。ユーザは、例えば図８に示すような複数の使用可能な機能の中から所望の一つを選択し、ページング送受信機１００は、その要求を図９にしたがって処理する。
【００７２】
システム３０及びページング送受信機１００によって、ページング送受信機１００はメッセージ全体を受信することなくユーザにメッセージの通知をすることができる。そして、ユーザは、ユーザにとって都合のいい時にメッセージに対しての行動を決定する。従来のページング受信機のように警報と共にメッセージを受信するのではなく、ユーザがメッセージを受信する時を制御でき、メッセージを読み出さないと決定する事もできる。ユーザが通知された後には、ユーザはページング送受信機１００を制御し、メッセージをシステム３０から読み出す、システム３０又はページング送受信機１００に保存する、メッセージを指定された受信者に転送する、メッセージに返信する、または、メッセージをページング送受信機１００又はシステム３０から消去することができる。
【００７３】
ページング送受信機１００では、ユーザが、システム３０との通信を始める前にページング送受信機を所望の場所に配置することができる。従って、もしユーザが地下鉄内、地下、または飛行機内にいる時にシステム３０によってページングされた場合、ユーザはメッセージの配信を、ページング送受信機１００がメッセージを受信しメッセージに返信するために良い場所に移動するまで遅らせることができる。同様に、ユーザが起爆性の環境又は感度の高い電気機器の近くにいた場合、ユーザはメッセージの配信及びページング送受信機１００からの返信を、ユーザが起爆性の環境の外又は感度の高い電気機器から十分に離れるまで遅らせることができる。よって、ページング送受信機１００及びシステム３０は、ユーザがシステム３０に保存されたメッセージを制御することを可能にする。
【００７４】
ページング送受信機１００及びシステム３０は、貴重なエアタイム及びページング送受信機のメッセージメモリ５の両方を節約する。システム３０は、各メッセージを自動的には目標のページング送受信機１００には配信せず、その代わりにユーザがメッセージを制御することを可能にする。メッセージの長さはキロバイト、メガバイト、またはそれ以上の大きなバイト数になる場合もあるので、システム３０及び基地局３４が各メッセージを送信する必要がないことによる恩恵は、非常に大きい。また、各メッセージは自動的にはページング送受信機１００に配信されないので、ページング送受信機１００は、メッセージによって負担をかけすぎられることがなく、その代わりに、ユーザが特定のメッセージを読み出すなどの選択されたメッセージへの行動を選択する事ができる。これに加えユー
ザは、基地局３４を通じてではなく、ＰＳＴＮ３５を通じてシステム３０を呼び出しメッセージに対しての行動を決めることもでき、これにより、基地局３４及び関連した料金及び費用を省くこともできる。
【００７５】
ページング送受信機１００及びシステム３０は、ページングシステム内のボイスメッセージに制限されない。その代わりに、ページング送受信機１００及びシステム３０は、如何なる種類のメッセージ又は情報に対しても機能し、ここに述べるものに制限されないが、数字のメッセージ、英数字のメッセージ、音声又は他の音のメッセージ、映像メッセージ、グラフィックス、またはデータなどに対して機能する事もできる。ページング送受信機１００は、別個のページング送受信機でもよく、移動式の無線電話機と一体化されていてもよく、または他の装置と結合されていてもよい。
【００７６】
例えば、ページング送受信機１００は、携帯ラジオ、ＣＤプレーヤー、又はテーププレーヤと一体化されていてもよい。ページング送受信機１００は、システム３０から、ユーザがサンプリングできる曲の一部を示すメッセージを受信してもよい。ユーザは、入手可能な曲のリストを検索し、所望の曲を選択する事ができる。そして、ページング送受信機１００がシステム３０と通信し、選択された曲を読み出し、ユーザがページング送受信機１００においてその曲を演奏できる。
【００７７】
もう一つの例としては、メッセージが映像メッセージであり、ユーザが検索し所望のメッセージだけを選択する事もできる。ページング送受信機１００は、テレビ受像機に一体化されていてもよく、映像メッセージは新しい映画又はショーの広告であってもよい。その他に、ページング送受信機１００はゲームコンソールと一体化され、映像メッセージがそのゲームコンソールにおいて入手可能な新しいゲームからの切り抜きであってもよい。ページング送受信機１００及びシステム３０の他の適用法は、当業者には明らかであろう。
【００７８】
ページング送受信機１００で入手可能な情報又はメッセージは、静的なものに限らず、動的なものであってもよい。すなわち、ページング送受信機１００に、情報が入手可能との警報が出された時には、ユーザに警報が出された時から、情報が更新されていたり変化している場合もある。例として、ユーザが天気警報を受信した場合、ユーザが情報を受信しようと思った時には、現在の天気の状態を反映するよう情報が更新される。従って、情報の識別子は、ユーザが入手可能な情報として保存されている内容を制限しない。
【００７９】
システム３０は、一つのページング送受信機１００に一回に一つの警報を送信することに制限されない。その代わりに、システム３０は複数の警報を単一のページング送受信機１００に送信し、この警報の各々が複数のページング送受信機１００への放送であってもよい。例えば、システム３０は、共通の数字を移動識別番号内に持つ複数の送受信機１００に情報を放送することもできる。システム３０が複数の警報を一つのページング送受信機１００に送信する場合は、これらの警報は、ユーザインターフェース３によって表示され、ユーザが望むようにメッセージの端から端までスクロールし、メッセージに対して行動することができる。
【００８０】
上述のように、システム３０及びページング送受信機１００は、ページング送受信機１００により、情報に対しての遠隔からの行動を可能にする。システム３０はまた、ユーザのＰＳＴＮ３５などの従来の方法による情報へのアクセスも可能にする。従って、ユーザはページング送受信機１００において警報を受信し、ＰＳＴＮ３５を通じて電話をし、メッセージを聞く又はメッセージに対して行動をおこす、と決定することもできる。システム３０は好適にはインターネットに接続され、ユーザがインターネットを介して情報にアクセスできる又は情報に対して行動をおこせるようにする。
【００８１】
ページング送受信機１００は好適には、メッセージ識別信号及び完全なメッセージが受信された時の両方でユーザに警報を出す。警報は、ユーザにページング送受信機１００が通信を受信した事を知らせる、いずれかの適切な指標を含み、例えば、トーン、振動、又は視覚的な表示を含む。好適には、識別子を受信した場合とメッセージを受信した場合との警報とは異なり、ユーザが容易にこの二つの通信を見分けることを可能にする。
【００８２】
図３に示す例では、複数のページング送受信機１００に対して、メッセージを保存するために単一のシステム３０があった。しかし、本発明では、メッセージを保存するためにいくつのシステム３０を含んでいても良く、各システム３０が、内容を提供する送受信機１００のために情報を保存してもよい。例えば、図１０に示すように、メッセージシステム２００は、複数のシステム３０を含み、これらのシステムはＰＳＴＮ３５に接続され、システム３０Ａが基地局３４Ａ及び送受信機アンテナ３７Ａと関連し、システム３０Ｂが基地局３４Ｂ及び送受信機アンテナ３７Ｂと関連する。図では、三つのシステム３０を示すが、システム２００は、いくつのシステム３０を含んでいても良く、二つの基地局３４を示すが、各システム３０が基地局３４及び送受信機アンテナ３７と関連していてもよく、又は一つのシステム３０のみが基地局３４及び送受信機アンテナ３７と関連していてもよい。更に、各システム３０は、ページング端末コントローラ３１又は保存装置３２を備えている必要がない。例えば、システム３０Ｃは、保存及び読み出し装置３２及び入出力コントローラ３３を含み、ページング端末コントローラ３１を含まず、システム３０Ａのページング端末コントローラ３１を通じてページング送受信機１００をページングしてもよい。反対に、システム３０Ａなどのシステム３０は、ページング端末コントローラ３１及び入出力コントローラ３３を含み、保存及び読み出し装置３２を含まなくてもよい。更に、入出力コントローラ３３は、別個の装置でなくてもよく、システム３０が保存及び読み出し装置３２を備えていなければページング端末３１と、システム３０がページング端末コントローラ３１が備えていなければ保存及び読み出し装置３２と結合されていてもよい。システム３０及び基地局３４は、お互いに対してＰＳＴＮ２０１を通じて、又はＰＳＴＮ２０１以外又はＰＳＴＮ２０１に追加して、たとえば無線ネットワークのＳＳ７バックボーンなどの他のリンク又はライン又はインターネットを通じて通信してもよい。
【００８３】
これに加え、各基地局３４Ａ及び３４Ｂは、ページングネットワークの一部であってもよいが、好適にはセルラネットワークの一部である。基地局３４Ａ又は３４Ｂの一つ又は両方がページング送受信機をページングでき、基地局３４Ａ及び３４Ｂの一つ又は両方がメッセージの内容をページング送受信機に配信できる。各システム３０Ａ、３０Ｂ及び３０Ｃは、ユーザのためにメッセージを保存してもよく、これらのメッセージは同一の種類であっても違う種類のものであってもよい。更に、単一のシステム３０に保存された複数のメッセージの全てが同一の種類であっても異なる種類であってもよい。
【００８４】
例として、システム３０Ａは、ユーザの事務所宛てのボイスメールメッセージ及び電子メールメッセージを保存してもよく、システム３０Ｂはユーザの自宅宛てのボイスメールメッセージを保存してもよく、システム３０Ｃは音声メッセージを保存してもよい。基地局３４Ａは、全てのシステム３０においてユーザへ配信される全てのメッセージの情報センターとして機能し、メッセージが受信された時にはページング送受信機１００にページングする。よって、ボイスメールメッセージ又は電子メールメッセージがシステム３０Ａで受信された場合、システム３０Ａはページングを基地局３４Ａに配信し、このページングはページング送受信機１００へと配信される。ボイスメッセージがシステム３０Ｂで受信された場合、システム３０Ｂはメッセージに関する情報をシステム３０Ａに送信し、システム３０Ａが、ページングを送受信機１００に配信するために基地局３４Ａに配信する。同様に、システム３０Ｃに音声メッセージがある時には、システム３０Ａに通知し、システム３０Ａがそのページングをページング送受信機１００に配信するために機能する。
【００８５】
システム３０Ｂ又はシステム３０Ｃからシステム３０Ａに送信されるデータ送信２０１の例を図１１に示す。データ送信２０１は、潜在的には複数存在するシステム３０からシステム３０を識別するためのシステムＩＤ情報を含む。システムＩＤ情報は、アドレスコードでもよく又はシステム３０の電話番号を備えていてもよく、自動的に例えば発呼者ＩＤやＤＮＩＳ情報からシステム３０Ａに捕捉されてもよい。データメッセージ２０１はまた、例えばアドレスコード又はＭＩＮによってページング送受信機１００を識別する。多くのシステム３０では、保存されたメッセージ又は情報はしばしば、単一のユーザのためであり、よって送受信機ＩＤは、その単一のページング送受信機１００のアドレスコード又はＭＩＮである。しかし、その他のシステム３０においては、システム３０は、単一のメッセージを複数のページング送受信機１００に放送したい場合もあり、この場合、送受信機ＩＤは、ページング送受信機の所定の集合を識別するコードであってもよい。
【００８６】
データ送信２０１はまたメッセージ情報を含む。メッセージ情報は、メッセージを識別する情報を含み、好適にはさらにメッセージの種類を特定する情報とメッセージの長さの情報及びメッセージの優先度の情報を含む。メッセージ識別子はメッセージを、例えば数字などの独特のコードで識別してもよく又はシステム３０内のそのメッセージのアドレスを特定してもよい。メッセージの種類は、そのメッセージがボイスメッセージか、電子メールメッセージか、音声メッセージが映像メッセージか文章メッセージかを示す。メッセージの長さは、メッセージの大きさを示し、メッセージ優先度はメッセージの優先度レベルを示す。例えばユーザが、メッセージを残した発呼者の電話番号によって優先度を指定でき、又は発呼者が優先度を設定する事もできる。データ送信２０１は好適にはこの情報を含むが、データ送信２０１は、図１１に示す例に追加して又は例よりも少ないフィールドを含む事もできる。
【００８７】
データ送信２０１はまた、ユーザに中継される又は提供される追加の情報を含む。例えば、ユーザのためにメッセージを受信し保存する多くのシステム３０では、この追加の説明情報は好適には、発呼者の電話番号を識別しユーザに誰がメッセージを残したのかを伝達するための返信アドレスを含む。独自の情報を作り出す他のシステム３０では、追加の情報は好適には、ユーザが入手可能な情報を説明する。例えば、ユーザが曲をサンプリングできるシステム３０では、追加の情報は、曲のタイトル及びアーティストを示し、その曲を読み出し演奏するための費用を特定する。当業者にはこの追加の情報を使う他の方法は明らかであろう。
【００８８】
ページング送受信機１００に送信されたページングは、データ送信２０１の全て、もしくは全てでなければ大半を含む。図７において、ページング送受信機１００へ送信された情報は、ステップ９８でユーザへ送信される短いメッセージに挿入されてもよい。ページング送受信機１００はシステムＩＤ情報から、メッセージに対して行動を起こすためには、どのシステム３０に応答する必要があるかを決定できる。例えば、システム３０Ａはページング送受信機１００をページングし、システム３０Ｂに保存されたメッセージがあることを示す事ができる。もしユーザが読み出し機能を選択した場合、ページング送受信機１００は、所望のメッセージを読み出すためにシステム３０Ｂに基地局３４Ｂを通じて接触できる。上述のようなページング送受信機１００はそのかわりに、メッセージを読み出すために基地局３４Ａに応答し、基地局３４Ａがシステム３０Ｂと通信しメッセージを読み出す又はメッセージに対しての行動を行うこともできる。
【００８９】
メッセージ情報は、システム３０に保存されたメッセージ又は情報についてユーザに知らせるために、ページング送受信機１００によって使われる。メッセージの種類、長さ、優先度、及び追加の説明内容は、表示してもよく、またはその代わりにページング送受信機１００においてユーザに示してもよい。この情報からユーザは、システム３０にあるメ
ッセージ又は情報に対してどの行動をとるかを決定できる。
【００９０】
図９に関して説明したように、ページング送受信機１００が所望の機能を実行するために、システム３０へのコールが必要とされる場合もある。コールが必要とされる場合、ページング送受信機１００は、データ送信２０１内の情報をシステム３０へ中継する。ページング送受信機１００がメッセージ又は情報を保存しているシステムでないシステム３０に応答した場合は、ページング送受信機１００は、メッセージ又は情報を保存しているシステム３０を識別し、メッセージを識別する。上述のように、メッセージのコードによって又はメッセージが保存されたメモリの場所を特定する事によってなど、メッセージはいくつかの方法で識別することができる。システム３０へのコールは、自動的に送受信機識別情報をシステム３０に提供し、この情報はページング送受信機１００が、システム３０へ提供される他の情報と共に提供する事もできる。
【００９１】
ページング送受信機１００からコールを受信すると、システム３０は、送受信機識別子及びメッセージ情報を読み取り、ページング送受信機１００に要求された情報を探す。システム３０において、ページング送受信機１００から取得された情報及びページング送受信機への要求された情報の転送は、図９のステップ１３５において行われる。
【００９２】
システム２００は従来のページングシステムに比べ、大幅な費用の節約を可能にする。従来のページングシステムでは、メッセージ全体がページング送受信機の場所へと送信される。例えば、ユーザのホームとなる基地（ｈｏｍｅ ｂａｓｅ）がノースキャロライナ
州チャペルヒル（Ｃｈａｐｅｌ Ｈｉｌｌ, Ｎｏｒｔｈ Ｃａｒｏｌｉｎａ）であり、メッセージがイリノイ州シカゴ（Ｃｈｉｃａｇｏ，Ｉｌｌｉｎｏｉｓ）から発信された場合、一般的にはこのメッセージはＰＳＴＮ３５上をホーム基地へと送信される。全国的なページングの場合、ユーザがカリフォルニア州サンディエゴ（Ｓａｎ Ｄｉｅｇｏ，Ｃａｌｉ
ｆｏｒｎｉａ）に旅行していることもある。この場合、ホーム基地がメッセージ全体をチャペルヒルからサンディエゴへと送信する。一方、システム２００の場合、データ送信２０１のみがシカゴからチャペルヒルへとそしてチャペルヒルからサンディエゴへと送信される。これに対して実際のメッセージは、シカゴの保存設備から直接サンディエゴに送信され、シカゴからチャペルヒルへの転送に関連する費用を削減できる。また、システム３０同士のデータ送信２０１は、インターネットを介して行われてもよい。これらの送信は例えば、インターネットメール向け音声プロフィール（Ｖｏｉｃｅ Ｐｒｏｆｉｌｅ ｆｏｒ Ｉｎｔｅｒｎｅｔ Ｍａｉｌ）（ＶＰＩＭ）にしたがった形式でもよく、送受信機１００のアドレスは、軽負荷ディレクトリアクセスプロトコル（Ｌｉｇｈｔｗｅｉｇｈｔ Ｄ
ｉｒｅｃｔｏｒｙ Ａｃｃｅｓｓ Ｐｒｏｔｏｃｏｌ）（ＬＡＤＰ）やＸ．５００などのオープンディレクトリサービス（Ｏｐｅｎ Ｄｉｒｅｃｔｏｒｙ Ｓｅｒｖｉｃｅ）によって決定されてもよい。
【００９３】
システム３０及び２００は、ユーザが一般的に毎日のように受信する複数のメッセージを容易に管理する事を可能にする。従来では、ユーザは事務所のボイスメールにつなぎボイスメッセージを読み出し、自宅につなぎ自宅へ送信されたボイスメッセージを読み出し、事務所のコンピュータネットワークへ接続し電子メールメッセージを読み出す必要があった。ユーザにボイスメールメッセージ又は他のメッセージが受信された事を通知するためにページングシステムが使われてきたが、それでもユーザは、そのメッセージを実際に読み出すために、別個のシステムにつなぐ必要があった。一方、システム２００は、メッセージの種類や場所に関わらず、ユーザに全てのメッセージの通知を送信する事を可能にし、更にユーザが選択的にメッセージを読み出し、セーブし、消去し、又はその他の機能を実行することを可能にする。システム３０及び２００及びページング送受信機１００はまた、ユーザによる遠隔に保存されたメッセージの制御を可能にし、ユーザが選択的に、遠隔の場所に保存されたメッセージを保存し、セーブし、読み出し、消去し、転送し、送
信し、又はその他の機能を実行することを可能にする。
【００９４】
上述の本発明の好適な実施形態は、本発明を例示し説明するためのみのものであり、本発明の全てを示すもの又は本発明を開示した形のみに制限するものではない。上述の説明から多数の変更及び修正が可能であろう。
【００９５】
実施形態は、本発明の原理及び実際的な適用法を説明するために選択されたものであり、これにより当業者が本発明及び様々な実施形態及び様々な変更と共に、企図される特定の使用法のために利用できるようにしたものである。
【００９６】
明細書に含まれ、その一部を形成する添付の図面は、本発明の好適な実施の形態を示し、明細書と共に本発明の趣旨を説明する。また、本発明においては、以下のような構成が好適である。
（１）  選択的ページングトランシーバであって、
情報識別信号を有する選択的コール信号を受信する受信機と、
前記情報識別信号を受信した後に警告信号を発生するプロセッサと、
警告信号を受信しユーザに情報識別信号が受信されたことを知らせる警報を発生するとともに、ユーザからの消去入力を受信するユーザインタフェースと、
を含み、
前記プロセッサは、ユーザインタフェースからの消去入力を受信し、前記情報識別信号の少なくとも一部を含む消去信号を発生し、
さらに、
情報識別信号によって特定された情報をシステムが消去可能とするために、消去信号をシステムに送る送信機と、
を含むページングトランシーバ。
（２）  １に記載のページングトランシーバであって、
さらに、
情報識別信号に関連づけられた情報を記憶するメモリを含むとともに、前記プロセッサは、前記消去入力に応答して消去するメモリ内の情報に印を付けるページングトランシーバ。
（３）  ２に記載のページングトランシーバであって、
ユーザインタフェースにおいて受信した検索入力に応答して、プロセッサが消去のために印を付けられた情報を読むページングトランシーバ。
（４）  １に記載のページングトランシーバであって、
ユーザインタフェースにおいて受信した検索入力に応答して、プロセッサが情報識別信号を含む検索信号を発生し、
送信機が検索信号をシステムに送信し、
受信機が情報識別信号に関連づけられた情報を受信し、
プロセッサがユーザにユーザインタフェースを介し前記情報を提供するページングトランシーバ。
（５）  １に記載のページングトランシーバであって、
選択的コール信号は、アドレス信号を含み、プロセッサは、アドレス信号が前記ページングトランシーバに関連づけされたときのみ警告信号を発生するページングトランシーバ。
（６）  ５に記載のページングトランシーバであって、
前記アドレス信号は、アドレスコードを含むページングトランシーバ。
（７）  ５に記載のページングトランシーバであって、
前記アドレス信号は、移動体識別番号を含むページングトランシーバ。
（８）  ５に記載のページングトランシーバであって、
前記アドレス信号は、前記ページングトランシーバのみに関連づけられているページングトランシーバ。
（９）  ５に記載のページングトランシーバであって、
前記アドレス信号は、複数のページングトランシーバに関連づけられているページングトランシーバ。
（１０）  １に記載のページングトランシーバであって、
前記プロセッサは、コールが進行中となるまで消去信号を発生するのを遅らせるページングトランシーバ。
（１１）  １０に記載のページングトランシーバであって、
前記プロセッサは、ユーザインタフェースがコールが開始されるべきであることを示すユーザからのインプットを受信した後コールを開始するページングトランシーバ。
（１２）  １に記載のページングトランシーバであって、
前記受信機は、選択的コール信号をページングネットワークを介し受信するページングトランシーバ。
（１３）  １に記載のページングトランシーバであって、
前記受信機は、選択的コール信号を移動体無線電話ネットワークを介し受信するページングトランシーバ。
（１４）  １に記載のページングトランシーバであって、
前記送信機は、消去信号をページングネットワークを介し送信するページングトランシーバ。
（１５）  １に記載のページングトランシーバであって、
前記送信機は、消去信号を移動体無線電話ネットワークを介し送信するページングトランシーバ。
（１６）  選択的ページングトランシーバであって、
ページングトランシーバにおいて利用可能な情報を特定する情報識別信号を有する選択的コール信号を受信する受信機と、
情報識別信号およびこの情報識別信号に関連づけられた情報を格納するメモリと、
ユーザからの消去入力を受信するユーザインタフェースと、
前記ユーザインタフェースからの消去入力を受信し、消去のためにメモリに格納されている情報に印を付けるプロセッサと、
を含み、
前記消去入力に応答して、前記プロセッサは、メモリ内の情報識別信号を維持するページングトランシーバ。
（１７）  １６に記載のページングトランシーバであって、
ユーザインタフェースにおいて受信した検索入力に応答して、プロセッサが印を付けられた情報を読むページングトランシーバ。
（１８）  １６に記載のページングトランシーバであって、
ユーザインタフェースにおいて受信した検索入力に応答して、プロセッサが少なくとも情報識別信号の一部を含む検索信号を発生し、
ページングトランシーバは、検索信号を送信する送信機をさらに含み、
受信機が前記情報を受信し、
プロセッサがメモリに前記情報を格納するページングトランシーバ。
（１９）  １６に記載のページングトランシーバであって、
前記選択的コール信号は、アドレス信号を含み、プロセッサは、アドレス信号が前記ページングトランシーバに関連づけされたときのみ、メモリに情報識別信号を格納するようにコントロールするページングトランシーバ。
（２０）  １９に記載のページングトランシーバであって、
前記アドレス信号は、アドレスコードを含むページングトランシーバ。
（２１）  １９に記載のページングトランシーバであって、
前記アドレス信号は、移動体識別番号を含むページングトランシーバ。
（２２）  １９に記載のページングトランシーバであって、
前記アドレス信号は、前記ページングトランシーバのみに関連づけられているページングトランシーバ。
（２３）  １９に記載のページングトランシーバであって、
前記アドレス信号は、複数のページングトランシーバに関連づけられているページングトランシーバ。
（２４）  １６に記載のページングトランシーバであって、
前記プロセッサは、消去入力に応答して前記情報識別信号の少なくとも一部を含む消去信号を発生し、
送信機は、前記消去信号をシステムに送信し、システムが消去信号によって特定された前記情報を消去可能とするページングトランシーバ。
（２５）  ２４に記載のページングトランシーバであって、
コールが進行中となるまで消去信号を発生するのを遅らせるページングトランシーバ。
（２６）  ２５に記載のページングトランシーバであって、
前記プロセッサは、ユーザインタフェースがコールが開始されるべきであることを示すユーザからのインプットを受信した後コールを開始するページングトランシーバ。
（２７）  ページングトランシーバにおいて選択的に情報を消去する方法であって、
ページングトランシーバにおいて情報識別信号有する選択的コール信号を受信し、
ユーザに、情報識別信号が受信されたことを知らせ、
情報識別信号で特定された情報が消去されるべきであることを示す消去入力をユーザから受信し、
前記情報識別信号の少なくとも一部を含む消去信号を発生し、
情報識別信号によって識別された情報を消去することを可能とするために要求信号をシステムに送信するステップを含む方法。
（２８）  ２７に記載の方法であって、
前記選択的コール信号を受信するステップは、ページングネットワークから選択的コール信号を受信するステップを含む方法。
（２９）  ２７に記載の方法であって、
前記選択的コール信号を受信するステップは、移動体無線電話ネットワークから選択的コール信号を受信するステップを含む方法。
（３０）  ２７に記載の方法であって、
前記選択的コール信号を受信するステップに応答して、返答信号を発生するステップをさらに含む方法。
（３１）  ３０に記載の方法であって、
前記返答信号を発生するステップは、受領確認信号を発生するステップを含む方法。
（３２）  ３１に記載の方法であって、
前記受領確認信号を発生するステップは、受領確認が自動的か否かを検出するステップを含む方法。
（３３）  ３１に記載の方法であって、
前記受領確認信号を発生するステップは、受領確認信号を発生するためのユーザが許可したコマンドを受信するステップを含む方法。
（３４）  ３０に記載の方法であって、
前記返答信号を発生するステップは、ショートメッセージを発生するステップを含む方法。
（３５）  ２７に記載の方法であって、
前記要求信号をシステムに送信するステップは、前記ページングトランシーバにおいてコールが現在進行中か否か検出し、コールが進行中であった場合に要求信号を送信する方法。
（３６）  ２７に記載の方法であって、
前記要求信号をシステムに送信するステップは、コールが開始されるべきであることを示すユーザ入力を受信するステップを含む方法。
（３７）  ２７に記載の方法であって、
前記情報識別信号に関連づけられた前記情報をメモリに格納するステップと、消去入力を受信するステップに応答して消去するためにメモリ内に格納されている前記情報に印を付けるステップをさらに含む方法。
（３８）  ３７に記載の方法であって、
ユーザインタフェースにおいて、検索入力を受信するステップと、前記検索入力に応答して、メモリ内で印が付けられた前記情報を検索するステップとをさらに含む方法。
（３９）  ２７に記載の方法であって、
ユーザインタフェースにおいて、検索入力を受信するステップと、
前記情報識別信号を含む検索信号を発生するステップと、
前記情報識別信号に関連づけられている情報を受信するステップと、
をさらに含む方法。
（４０）  ２７に記載の方法であって、
アドレス信号を受信し、このアドレス信号が前記ページングトランシーバに関連づけられている場合のみに、前記情報識別信号を格納する方法。
（４１）  ページングトランシーバにおいて選択的に情報を消去する方法であって、
情報識別信号を含む選択的コール信号を受信し、
前記情報識別信号に関連づけられている情報を受信し、
前記情報識別信号およびこの情報識別信号に関連づけられている情報をメモリに格納し、
情報識別信号で特定された情報が消去されるべきであることを示す消去入力をユーザから受信し、
メモリに格納されている情報に前記消去入力に応答して消去されるように印を付け、
前記消去入力に応答してメモリ内の情報識別信号を維持するステップを含む方法。
（４２）  ４１に記載の方法であって、
ユーザインタフェースにおいて検索入力を受信するステップと、
メモリ内の印が付けられた情報を読むステップとをさらに含む方法。
（４３）  ４１に記載の方法であって、
ユーザインタフェースにおいて、検索入力を受信するステップと、
前記情報識別信号の一部を少なくとも含む検索信号を発生するステップと、
前記検索信号を送信するステップと、
前記情報を受信するステップと、
をさらに含む方法。
（４４）  ４１に記載の方法であって、
前記消去入力を受信するステップは、前記ページングトランシーバおよび離隔した位置の両方において、前記情報が消去されるべきかについてのユーザ入力を受信するステップをさらに含む方法。
（４５）  ４１に記載の方法であって、
前記消去入力に応答して、前記情報識別信号の少なくとも一部を含む消去信号を発生し、
前記消去信号をシステムに送信し、システムが消去信号によって特定された前記情報を消去可能とする方法。
（４６）  ４５に記載の方法であって、
前記消去信号を発生するステップは、コールが進行中となるまで遅らせられる方法。
（４７）  ４６に記載の方法であって、
前記消去信号を発生するステップは、コールが開始されるべきであることを示すユーザからの入力が受信された後行われる方法。
（４８）  ４１に記載の方法であって、
アドレス信号を選択的コール信号の一部として受信するステップと、
前記アドレス信号がページングトランシーバに関連づけされている場合にのみ、メモリ内に情報識別信号を格納するステップを含む方法。
（４９）  ページングトランシーバであって、
ページングトランシーバにおいて利用可能な離隔情報を特定する情報識別信号有する選択的コール信号を受信する受信機と、
前記情報識別信号を受信し、前記情報識別信号を受信した後に警告信号を発生するプロセッサと、
前記警告信号を受信し、警告を発生してユーザに情報識別信号を受信したことを知らせるユーザインタフェースであって、利用可能な情報についての所望の行動を指定するユーザからの入力も受信するユーザインタフェースと、
を有し、
前記プロセッサは、ユーザインタフェースにおいて前記入力を検出し、前記所望の機能を示す要求信号であって前記情報識別信号の一部を少なくとも含む要求信号を発生し、
かつ、
前記要求信号を前記情報識別信号によって特定された情報について所望の機能が実行可能となるようにシステムに送信する送信機と、
を含むページングトランシーバ。
（５０）  ４９に記載のページングトランシーバであって、
前記所望の機能はページングトランシーバにおいて前記情報を検索するものであり、レシーバは前記情報を受信して変調するためのものであるページングトランシーバ。
（５１）  ５０に記載のページングトランシーバであって、
前記ユーザインタフェースは、ユーザに前記情報を提供するページングトランシーバ。
（５２）  ４９に記載のページングトランシーバであって、
前記情報は、オーディオファイルであるページングトランシーバ。
（５３）  ４９に記載のページングトランシーバであって、
前記情報は、テキストファイルであるページングトランシーバ。
（５４）  ４９に記載のページングトランシーバであって、
前記情報は、ビデオファイルであるページングトランシーバ。
（５５）  ４９に記載のページングトランシーバであって、
前記情報は、グラフィックファイルであるページングトランシーバ。
（５６）  ４９に記載のページングトランシーバであって、
前記情報は、データファイルであるページングトランシーバ。
（５７）  ４９に記載のページングトランシーバであって、
前記情報識別信号を格納するメモリをさらに含むページングトランシーバ。
（５８）  ４９に記載のページングトランシーバであって、
前記選択的コール信号を受信し、前記要求信号を伝達する少なくとも１つのアンテナを含むページングトランシーバ。
（５９）  ４９に記載のページングトランシーバであって、
前記選択的コール信号はアドレス信号を含み、前記プロセッサは、前記アドレス信号が前記ページングトランシーバに関連づけられているのみに警告信号を発生するページングトランシーバ。
（６０）  ５９に記載のページングトランシーバであって、
前記アドレス信号は、前記ページングトランシーバのみに関連づけられているページングトランシーバ。
（６１）  ５９に記載のページングトランシーバであって、
前記アドレス信号は、複数のページングトランシーバに関連づけられているページングトランシーバ。
（６２）  ５９に記載のページングトランシーバであって、
前記アドレス信号は、移動体識別番号を含むページングトランシーバ。
（６３）  ５９に記載のページングトランシーバであって、
前記アドレス信号は、アドレスコードを含むページングトランシーバ。
（６４）  ４９に記載のページングトランシーバであって、
前記プロセッサは、前記情報識別信号に応答して、返答信号を発生するページングトランシーバ。
（６５）  ６４に記載のページングトランシーバであって、
前記応答信号は、受領確認信号を含むページングトランシーバ。
（６６）  ６５に記載のページングトランシーバであって、
前記プロセッサは、前記選択的コール信号に含まれる受領確認要求信号に応答して前記受領確認信号を送信するページングトランシーバ。
（６７）  ６５に記載のページングトランシーバであって、
前記プロセッサは、ユーザインタフェースにおいて受信したユーザ許可コマンドに応答して前記受領確認信号を送信するページングトランシーバ。
（６８）  ６４に記載のページングトランシーバであって、
前記応答信号は、ショートメッセージを含むページングトランシーバ。
（６９）  ４９に記載のページングトランシーバであって、
ユーザに利用可能な第２情報を特定する第２情報識別信号を記憶するメモリをさらに有し、
前記ユーザインタフェースは、第２情報識別信号によって特定された第２情報について第２の機能を実行することを特定するユーザからの入力を受信し、前記プロセッサは、前記第２情報について第２の所望の機能を実行するページングトランシーバ。
（７０）  ４９に記載のページングトランシーバであって、
前記プロセッサは、コールが進行中となるまで、前記要求信号の発生を遅らせるページングトランシーバ。
（７１）  ７０に記載のページングトランシーバであって、
前記プロセッサは、コールが開始されるべきであることを示すユーザからの入力をユーザインタフェースが受信した後コールを開始するページングトランシーバ。
（７２）  ４９に記載のページングトランシーバであって、
前記プロセッサは、前記情報について所望のアクションを実行した後第２警告信号をユーザインタフェースに供給するページングトランシーバ。
（７３）  ７１に記載のページングトランシーバであって、
前記ユーザインタフェースは、第２の警告を発生し、ユーザに所望のアクションが実行されたことを知らせるページングトランシーバ。
（７４）  ７３に記載のページングトランシーバであって、
前記ユーザインタフェースで発生された前記第２警告は、情報識別信号の受信に応答してユーザインタフェースにより発生された警告とは異なるページングトランシーバ。
（７５）  ４９に記載のページングトランシーバであって、
前記受信機は、選択的コール信号をページングネットワークを介し受信するページングトランシーバ。
（７６）  ４９に記載の方法であって、
前記受信機は、移動体無線電話ネットワークから選択的コール信号を受信するページングトランシーバ。
（７７）  ４９に記載のページングトランシーバであって、
前記送信機は、前記要求信号をページングネットワークを介し送信するページングトランシーバ。
（７８）  ４９に記載のページングトランシーバであって、
前記送信機は、前記要求信号を移動体無線電話ネットワークを介し送信するページングトランシーバ。
（７９）  ４９に記載の方法であって、
前記受信機は、第２のシステムから前記選択的コール信号を受信するページングトランシーバ。
（８０）  ページングトランシーバにおいて情報を選択的に受信する方法であって、
情報識別信号を含む選択的コール信号をトランシーバにおいて受信し、
ユーザに情報識別信号が受信されたことを知らせ、
前記情報識別信号によって特定される情報について所望の機能が実行されることを示すユーザからの入力を受信し、
前記情報識別信号の少なくとも一部を含み、所望の機能を示す要求信号を発生し、
前記要求信号をシステムに送信し前記情報識別信号で特定された情報について所望の機能を実行することを可能とする方法。
（８１）  ８０に記載の方法であって、
前記選択的コール信号を受信するステップは、ページングネットワークから選択的コール信号を受信するステップを含む方法。
（８２）  ８０に記載の方法であって、
前記選択的コール信号を受信するステップは、移動体無線電話ネットワークから選択的コール信号を受信するステップを含む方法。
（８３）  ８０に記載の方法であって、
前記所望の機能は、トランシーバにおいて前記情報を検索することであり、かつトランシーバにおいて前記情報を受信するステップをさらに含む方法。
（８４）  ８３に記載の方法であって、
前記情報をユーザに提供するステップをさらに含む方法。
（８５）  ８３に記載の方法であって、
前記情報は、オーディオファイルを含み、かつユーザに対しオーディオファイルを再生するステップをさらに含む方法。
（８６）  ８３に記載の方法であって、
前記情報は、テキストファイルを含み、かつユーザに対しテキストファイルを表示するステップをさらに含む方法。
（８７）  ８３に記載の方法であって、
前記情報は、ビデオファイルを含み、かつユーザに対しビデオファイルを表示するステップをさらに含む方法。
（８８）  ８３に記載の方法であって、
前記情報は、グラフィックファイルを含み、かつユーザに対しグラフィックファイルを表示するステップをさらに含む方法。
（８９）  ８３に記載の方法であって、
前記情報は、データファイルを含み、かつユーザに対しデータファイルを格納するステップをさらに含む方法。
（９０）  ８０に記載の方法であって、
前記選択的コール信号を受信するステップに応答して、返答信号を発生するステップをさらに含む方法。
（９１）  ９０に記載の方法であって、
前記返答信号を発生するステップは、受領確認信号を発生するステップを含む方法。
（９２）  ９１に記載の方法であって、
前記受領確認信号を発生するステップは、受領確認が自動的か否かを検出するステップを含む方法。
（９３）  ９１に記載の方法であって、
前記受領確認信号を発生するステップは、受領信号を発生するためのユーザが許可したコマンドを受信するステップを含む方法。
（９４）  ３０に記載の方法であって、
前記返答信号を発生するステップは、ショートメッセージを発生するステップを含む方法。
（９５）  ８０に記載の方法であって、
第２情報識別信号により特定された第２情報をメモリに格納するステップと、
第２情報について実行される第２の所望の機能を特定するユーザからの入力を受信し、
トランシーバにおいて、第２情報について第２の所望の機能を実行する方法。
（９６）  ８０に記載の方法であって、
前記要求信号をシステムに送信するステップは、前記ページングトランシーバにおいてコールが現在進行中か否か検出し、コールが進行中であった場合に要求信号を送信する方法。
（９７）  ８０に記載の方法であって、
前記要求信号をシステムに送信するステップは、コールが開始されるべきであることを示すユーザ入力を受信するステップを含む方法。
（９８）  ８０に記載の方法であって、
前記要求信号をシステムに送信するステップは、ページングネットワークを介する要求信号を送信するステップを含む方法。
（９９）  ８０に記載の方法であって、
前記要求信号をシステムに送信するステップは、移動体無線電話ネットワークを介する要求信号を送信するステップを含む方法。
（１００）  ８０に記載の方法であって、
前記選択的コール信号を受信するステップは、第１ネットワークを介し行われ、前記要求信号を送信するステップは第２ネットワークを介し行われる方法。
（１０１）  ８０に記載の方法であって、
前記選択的コール信号とともにアドレス信号を受信するステップと、前記アドレス信号が前記トランシーバに関連づけされている場合にのみ前記知らせるステップが実行されるステップと、をさらに方法。
（１０２）  想定している受領者へ情報を配信するシステムであって、
想定している受領者に利用可能な情報を格納する格納ユニットと、
利用可能な情報を特定する情報識別信号および意図された受領者の選択するトランシーバを特定するが利用可能な情報のすべては含まれないアドレス信号を含むデータ信号を、基地局に差し向け、利用可能な情報の意図された受領者を通知する入力／出力コントローラであって、
前記入力／出力コントローラは、選択的トランシーバによって発生され所望のアクションとを特定する要求信号を受信した後利用可能な情報について所望のアクションを実行するシステム。
（１０３）  １０２に記載のシステムであって、
前記格納ユニットに格納された情報は、オーディオファイルを含むシステム。
（１０４）  １０２に記載のシステムであって、
前記格納ユニットに格納された情報は、テキストファイルを含むシステム。
（１０５）  １０２に記載のシステムであって、
前記格納ユニットに格納された情報は、ビデオファイルを含むシステム。
（１０６）  １０２に記載のシステムであって、
前記格納ユニットに格納された情報は、グラフィックファイルを含むシステム。
（１０７）  １０２に記載のシステムであって、
前記格納ユニットに格納された情報は、データファイルを含むシステム。
（１０８）  １０２に記載のシステムであって、
前記入力／出力コントローラは、内容提供者からの情報を受信し前記格納ユニットに情報を格納するシステム。
（１０９）  １０２に記載のシステムであって、
前記利用可能な情報の選択的トランシーバを知らせる基地局をさらに含むシステム。
（１１０）  １０９に記載のシステムであって、
前記基地局は、ページングネットワークの一部であるシステム。
（１１１）  １０９に記載のシステムであって、
前記基地局は、移動体無線電話ネットワークの一部であるシステム。
（１１２）  １０２に記載のシステムであって、
前記要求信号は、前記情報を送るという前記所望のアクションを特定し、前記入力／出力コントローラは前記情報を指定された情報の受領者に差し向けるシステム。
（１１３）  １０２に記載のシステムであって、
前記要求信号は、前記情報をセーブするという所望のアクションを特定し、前記入力／出力コントローラは、前記格納ユニットにセーブする情報に印を付けるシステム。
（１１４）  １０２に記載のシステムであって、
前記要求信号は、前記利用可能な情報を検索するという所望のアクションを特定し、前記入力／出力コントローラは、前記利用可能な情報を前記選択的トランシーバに差し向けるシステム。
（１１５）  １１４に記載のシステムであって、
第２基地局をさらに含み、
前記入力／出力コントローラは、前記要求信号に応答し、前記利用可能な情報を前記第２基地局に前記選択的トランシーバへの配信のために送信するシステム。
（１１６）  １１５に記載のシステムであって、
前記第２基地局は、ページングネットワークの一部であるシステム。
（１１７）  １０９に記載のシステムであって、
前記第２基地局は、移動体無線電話ネットワークの一部であるシステム。
（１１８）  １１４に記載のシステムであって、
前記要求信号に応答し、前記入力／出力コントローラは、前記利用可能な情報を前記基地局に前記選択的トランシーバへの配信のために送信するシステム。
（１１９）  １１８に記載のシステムであって、
前記基地局は、ページングネットワークの一部であるシステム。
（１２０）  １１８に記載のシステムであって、
前記基地局は、移動体無線電話ネットワークの一部であるシステム。
（１２１）  １０２に記載のシステムであって、
前記要求信号は、指定された受領者へ情報を送信するという所望のアクションを特定し、前記入力／出力コントローラは、前記情報を指定された受領者へ差し向けるシステム。
（１２２）  １０２に記載のシステムであって、
前記要求信号は、前記情報を消去するという所望のアクションを特定し、前記入力／出力コントローラは、前記格納ユニットの中の前記情報を消去のために印を付けるシステム。
（１２３）  １０２に記載のシステムであって、
前記要求信号は、前記情報に返答するという所望のアクションを特定し、前記入力／出力コントローラは、指定された受領者へ返答を差し向けるシステム。
（１２４）  利用可能な情報を選択的トランシーバのユーザに通知するシステムであって、
利用可能な情報を特定する情報識別信号を含むデータ信号を格納手段から受信する入力／出力コントローラと、
少なくとも情報識別信号の一部を含む選択的コール信号および選択的トランシーバを特定するアドレス信号を発生し、選択的コール信号を選択的トランシーバへ送信するために基地局に供給するターミナルコントローラと、
を含むシステム。
（１２５）  １２４に記載のシステムであって、
前記格納手段から受信される情報は、オーディオファイルを含むシステム。
（１２６）  １２４に記載のシステムであって、
前記格納手段から受信される情報は、テキストファイルを含むシステム。
（１２７）  １２４に記載のシステムであって、
前記格納手段から受信される情報は、ビデオファイルを含むシステム。
（１２８）  １２４に記載のシステムであって、
前記格納手段から受信される情報は、グラフィックファイルを含むシステム。
（１２９）  １２４に記載のシステムであって、
前記格納手段から受信される情報は、データファイルを含むシステム。
（１３０）  １２４に記載のシステムであって、
さらに格納ユニットを含み、
前記入力／出力コントローラは、第２情報識別信号およびアドレス信号を有する第２データ信号を受信し、第２データ信号を格納ユニットに格納し、
前記ターミナルコントローラは、前記格納ユニットを特定する装置識別信号を含む第２選択的コール信号を発生し、
前記ターミナルコントローラは、第２選択的コール信号を前記基地局に前記選択的トランシーバに送信するために供給するシステム。
（１３１）  １２４に記載のシステムであって、
前記選択的コール信号を選択的トランシーバに送信する基地局をさらに有するシステム。
（１３２）  １３１に記載のシステムであって、
前記基地局は、ページングネットワークの一部を含むシステム。
（１３３）  １３１に記載のシステムであって、
前記基地局は、移動体無線電話ネットワークの一部を含むシステム。
（１３４）  １２４に記載のシステムであって、
前記ターミナルコントローラは、選択的コール信号に、ユーザに利用される情報を格納する格納装置を示す装置識別信号を付加的に含むシステム。
（１３５）  １３４に記載のシステムであって、
前記入力／出力コントローラは、第２データ信号を第２格納装置から第２情報識別信号およびアドレス信号を含む第２データ信号とともに受信し、第２の格納装置を示す装置識別信号を含む第２選択的コール信号を発生して前記基地局に前記選択的トランシーバに送信するために供給するシステム。
（１３６）  情報を選択的トランシーバに配信するシステムであって、
入力／出力コントローラと、
前記選択的トランシーバに利用可能な情報を格納する格納ユニットと、
前記格納ユニットに格納されている情報に関連づけられている情報識別信号を発生し、前記選択的トランシーバのアドレス信号を検出し、前記入力／出力コントローラへ前記情報識別信号およびアドレス信号を供給するターミナルコントローラと、
を含み、
前記入力／出力コントローラは、前記情報識別信号およびアドレス信号を含むが前記格納ユニットに格納されているすべての情報は含まない選択的コール信号を基地局に前記選択的トランシーバに送信するために供給し、
前記選択的トランシーバからの情報に対して行われる所望のアクションを示す要求信号の受信に応答して、前記入力／出力コントローラが前記情報についての所望のアクションを実行するシステム。
（１３７）  １３６に記載のシステムであって、
前記格納装置から受信される情報は、オーディオファイルを含むシステム。
（１３８）  １３６に記載のシステムであって、
前記格納装置から受信される情報は、テキストファイルを含むシステム。
（１３９）  １３６に記載のシステムであって、
前記格納装置から受信される情報は、ビデオファイルを含むシステム。
（１４０）  １３６に記載のシステムであって、
前記格納装置から受信される情報は、グラフィックファイルを含むシステム。
（１４１）  １３６に記載のシステムであって、
前記格納装置から受信される情報は、データファイルを含むシステム。
（１４２）  １３６に記載のシステムであって、
前記入力／出力コントローラは、前記情報を含む入力されてくるコールを受信し、前記情報を格納ユニットに格納するシステム。
（１４３）  １３６に記載のシステムであって、
前記要求信号は、前記情報を送るという前記所望のアクションを特定し、前記情報を指定された情報の受領者に差し向けるシステム。
（１４４）  １３６に記載のシステムであって、
前記要求信号は、前記情報をセーブするという前記所望のアクションを特定し、前記情報を指定された情報の受領者に差し向けるシステム。
（１４５）  １３６に記載のシステムであって、
前記要求信号は、前記利用可能な情報を検索するという前記所望のアクションを特定し、前記利用可能な情報を前記選択的トランシーバに差し向けるシステム。
（１４６）  １３６に記載のシステムであって、
第２基地局をさらに含み、
前記要求信号に応答し、前記入力／出力コントローラは、利用可能な情報を第２基地局に前記選択的トランシーバに配信するために送信するシステム。
（１４７）  １４６に記載のシステムであって、
前記第２基地局は、ページングネットワークの一部であるシステム。
（１４８）  １４６に記載のシステムであって、
前記第２基地局は、移動体無線電話ネットワークの一部であるシステム。
（１４９）  １３６に記載のシステムであって、
さらに基地局を含み、
前記要求信号に応答し、前記入力／出力コントローラは、前記利用可能な情報を前記基地局に前記選択的トランシーバに配信するために送るシステム。
（１５０）  １４９に記載のシステムであって、
前記基地局は、ページングネットワークの一部であるシステム。
（１５１）  １４９に記載のシステムであって、
前記基地局は、移動体無線電話ネットワークの一部であるシステム。
（１５２）  １３６に記載のシステムであって、
前記要求信号は、指定された受領者に前記情報を送るという前記所望のアクションを特定し、前記入力／出力コントローラは情報を指定された情報の受領者に差し向けるシステム。
（１５３）  １３６に記載のシステムであって、
前記要求信号は、前記情報を消去するという前記所望のアクションを特定し、前記入力／出力コントローラは前記格納ユニット内の情報に消去のために印を付けるシステム。
（１５４）  １３６に記載のシステムであって、
前記要求信号は、前記情報に返答するという前記所望のアクションを特定し、前記入力／出力コントローラは返答を指定された受領者に差し向けるシステム。
（１５５）  意図された受領者情報を配信する方法であって、
意図された受領者に利用可能な情報を格納し、
利用可能な情報を特定する情報識別信号および意図された受領者の選択的トランシーバを特定するアドレス信号を含むが前記利用可能な情報のすべては含まないデータ信号を基地局に差し向け、
前記利用可能な情報の意図された受領者に知らせ、
前記選択的トランシーバからの前記利用可能な情報についてアクションを実行するための要求を受信し、
前記利用可能な情報についてアクションを実行する方法。
（１５６）  （１５５）に記載の方法であって、
前記情報を格納するステップは、内容提供者からの前記情報を受信するステップを含む方法。
（１５７）  １５５に記載の方法であって、
前記データ信号を基地局に差し向けるステップは、データ信号をインターネットに送信するステップを含む方法。
（１５８）  １５５に記載の方法であって、
前記データ信号を基地局に差し向けるステップは、データ信号を公衆交換電話ネットワークに送信するステップを含む方法。
（１５９）  １５５に記載の方法であって、
前記所望のアクションを実行するステップは、前記情報を指定された受領者へ送るステップを含む方法。
（１６０）  １５５に記載の方法であって、
前記所望のアクションを実行するステップは、格納する情報に印を付けるステップを含む方法。
（１６１）  １５５に記載の方法であって、
前記所望のアクションを実行するステップは、前記情報を選択的トランシーバに送信するステップを含む方法。
（１６２）  １５５に記載の方法であって、
前記所望のアクションを実行するステップは、第２のセットの情報を指定された受領者に送信するステップを含む方法。
（１６３）  １５５に記載の方法であって、
前記所望のアクションを実行するステップは、前記情報を消去するステップを含む方法。
（１６４）  １５５に記載の方法であって、
前記所望のアクションを実行するステップは、前記情報に対する返答を指定された受領者に送信するステップを含む方法。
（１６５）  利用可能な情報の選択的トランシーバのユーザに知らせる方法であって、
ユーザに利用可能な情報を特定する情報識別信号を含むデータ信号を格納装置から受信し、
前記情報識別信号の少なくとも一部および選択的トランシーバのためのアドレス信号を含む選択的コール信号を発生し、
前記選択的コール信号を基地局に前記選択的トランシーバに送信するために供給する方法。
（１６６）  １６５に記載の方法であって、
前記データ信号を受信するステップは、データ信号を公衆交換電話ネットワークを介し受信するステップを含む方法。
（１６７）  １６５に記載の方法であって、
前記データ信号を受信するステップは、データ信号をインターネットを介し受信するステップを含む方法。
（１６８）  １６５に記載の方法であって、
前記選択的コール信号を前記選択的トランシーバに送信するステップをさらに含む方法。
（１６９）  １６８に記載の方法であって、
前記送信するステップは、ページングネットワークに対し行われる方法。
（１７０）  １６８に記載の方法であって、
前記送信するステップは、移動体無線電話に対し行われる方法。
（１７１）  １６５に記載の方法であって、
前記選択的トランシーバから所望のアクションを前記利用可能な情報について行うための要求を受信し、前記利用可能な情報について前記所望のアクションを行うステップをさらに含む方法。
（１７２）  情報を選択的トランシーバに配信する方法であって、
前記選択的トランシーバに利用可能な情報を格納し、
前記利用可能な情報に関連づけられた情報識別信号を発生し、
前記選択的トランシーバのアドレス信号を検出し、
前記情報識別信号およびアドレス信号から選択的コール信号を形成し、
選択的コール信号を基地局に前記選択的トランシーバに送信するために供給し、  前記選択的トランシーバから前記情報に所望のアクションととられるべきことを示す要求を受信し、
前記情報について前記所望のアクションを実行する方法。
（１７３）  １７２に記載の方法であって、
前記情報を格納するステップは、前記情報を含む入力されているコールを受信するステップを含む方法。
（１７４）  １７２に記載の方法であって、
前記アドレス信号を検出するステップは、前記入力されてくるコールに関連づけられているコールされる番号を検出するステップを含む方法。
（１７５）  １７２に記載の方法であって、
前記所望のアクションを実行するステップは、前記情報を前記要求において指定されている受領者に送るステップを含む方法。
（１７６）  １７２に記載の方法であって、
前記所望のアクションを実行するステップは、前記情報をセーブするステップを含む方法。
（１７７）  １７２に記載の方法であって、
前記所望のアクションを実行するステップは、前記情報を前記選択的トランシーバに送信するステップを含む方法。
（１７８）  １７７に記載の方法であって、
前記情報を送信するステップはページングネットワークについて行われる方法。
（１７９）  １７７に記載の方法であって、
前記情報を送信するステップは移動体無線電話ネットワークについて行われる方法。
（１８０）  １７２に記載の方法であって、
前記所望のアクションを実行するステップは、第２のセットの情報を指定された受領者に送信するステップを含む方法。
（１８１）  １７２に記載の方法であって、
前記所望のアクションを実行するステップは、情報を消去するステップを含む方法。
（１８２）  １７２に記載の方法であって、
前記所望のアクションを実行するステップは、前記情報に対する返答を指定された受領者に送信するステップを含む方法。
（１８３）  ページングトランシーバであって、
情報識別信号を有する選択的コール信号を受信する受信機と、
前記情報識別信号を格納するメモリと、
離隔して格納された情報について実行されるべき所望の機能を特定するユーザからの入力を受信するユーザインタフェースと、
ユーザインタフェースからの入力を受信するとともに前記所望の機能を示す、前記情報識別信号の少なくとも一部を含む要求信号を発生するプロセッサと、
前記要求信号を前記アクションを実行するためにシステムに送信する送信機と、
セットされた時間まで前記要求信号の送信を遅延させる遅延回路と、
を含むページングトランシーバ。
（１８４）  １８３に記載のページングトランシーバであって、
前記ユーザインタフェースは、前記遅延回路をプログラミングし、セットされた時間を１日の所望の時間に等しくさせるためのユーザからの入力を受信するページングトランシーバ。
（１８５）  １８３に記載のページングトランシーバであって、
前記ユーザインタフェースは、をプログラミングし、セットされた時間を１日の所望の時間に等しくさせるためのユーザからの入力を受信するページングトランシーバ。
（１８６）  １８３に記載のページングトランシーバであって、
前記所望のアクションは、情報を検索することであり、前記遅延回路は、前記セットされた時間まで検索を遅らせるページングトランシーバ。
（１８７）  １８３に記載のページングトランシーバであって、
前記受信機は、前記遅延回路のセットされた時間をセットするプログラミング信号を受信するページングトランシーバ。
（１８８）  １８３に記載のページングトランシーバであって、
前記所望のアクションは、情報を先に渡すことであり、前記遅延回路は、前記セットされた時間まで情報を先に渡すことを遅らせるページングトランシーバ。
（１８９）  １８３に記載のページングトランシーバであって、
前記所望のアクションは、情報をセーブすることであり、前記遅延回路は、前記セットされた時間まで情報をセーブすることを遅らせるページングトランシーバ。
（１９０）  １８３に記載のページングトランシーバであって、
前記所望のアクションは、情報を送信することであり、前記遅延回路は、前記セットされた時間まで情報を送信することを遅らせるページングトランシーバ。
（１９１）  １８３に記載のページングトランシーバであって、
前記所望のアクションは、情報を消去することであり、前記遅延回路は、前記セットされた時間まで情報を消去することを遅らせるページングトランシーバ。
（１９２）  １８３に記載のページングトランシーバであって、
前記所望のアクションは、情報に返答することであり、前記遅延回路は、前記セットされた時間まで情報に返答することを遅らせるページングトランシーバ。
（１９３）  １８３に記載のページングトランシーバであって、
前記選択的コール信号を受信するとともに前記要求信号を伝達する少なくとも１つのアンテナを含むページングトランシーバ。
（１９４）  １８３に記載のページングトランシーバであって、
前記受信機は、前記ページングネットワークから前記選択的コール信号を受信するページングトランシーバ。
（１９５）  １８３に記載のページングトランシーバであって、
前記受信機は、前記移動体無線電話ネットワークから前記選択的コール信号を受信するページングトランシーバ。
（１９６）  １８３に記載のページングトランシーバであって、
前記送信機は、前記要求信号をページングネットワークに送信するページングトランシーバ。
（１９７）  １８３に記載のページングトランシーバであって、
前記送信機は、前記要求信号を移動体無線電話ネットワークに送信するページングトランシーバ。
（１９８）  １８３に記載のページングトランシーバであって、
前記遅延回路は、信号強度を検出するレベル検出器と、前記信号強度がしきい値レベルを超えている場合に前記要求信号の送信を許可するコンパレータとを含むページングトランシーバ。
（１９９）  １８３に記載のページングトランシーバであって、
前記遅延回路は、予め決定されている通信の受領まで前記要求信号の送信を遅延させるページングトランシーバ。
（２００）  選択的ページングの方法であって、
メモリに情報識別信号を格納し、
離隔して格納された前記情報識別信号で特定される情報について実行されるべき所望の機能を特定するユーザからの入力を受信し、
前記所望の機能を示す、前記情報識別信号の少なくとも一部を含む要求信号を発生し、
セットされた時間まで前記要求信号の送信を遅延させる方法。
（２０１）  ２００に記載の方法であって、
前記遅延ステップは、１日のある時間まで前記要求信号の送信を遅延させるステップを含む方法。
（２０２）  ２００に記載の方法であって、
前記遅延ステップは、１日のある時間まで前記要求信号の送信を遅延させるステップを含む方法。
（２０３）  ２００に記載の方法であって、
前記所望のアクションは、情報の検索であり、前記遅延するステップは、前記情報の検索をセットされた時間まで遅延させるステップを含む方法。
（２０４）  ２００に記載の方法であって、
前記所望のアクションは、情報を先に渡すことであり、前記遅延するステップは、前記情報を渡すことをセットされた時間まで遅延させるステップを含む方法。
（２０５）  ２００に記載の方法であって、
前記所望のアクションは、情報をセーブすることであり、前記遅延するステップは、前記情報をセーブすることをセットされた時間まで遅延させるステップを含む方法。
（２０６）  ２００に記載の方法であって、
前記所望のアクションは、情報を送信することであり、前記遅延するステップは、前記情報を送信することをセットされた時間まで遅延させるステップを含む方法。
（２０７）  ２００に記載の方法であって、
前記所望のアクションは、情報を消去することであり、前記遅延するステップは、前記情報を消去することをセットされた時間まで遅延させるステップを含む方法。
（２０８）  ２００に記載の方法であって、
前記所望のアクションは、情報に返答することであり、前記遅延するステップは、前記情報に返答することをセットされた時間まで遅延させるステップを含む方法。
（２０９）  ２００に記載の方法であって、
タイマのセット時間をセットするプログラミング信号を受信するステップをさらに含む方法。
（２１０）  ２００に記載の方法であって、
前記遅延ステップは、信号強度が所定のしきい値レベルに達するまで遅延させるステップを含む方法。
（２１１）  ２００に記載の方法であって、
前記遅延ステップは、予め定められた通信を受信するまで前記要求信号の送信を遅延させるステップを含む方法。
【図１】
0004726990.tif 000002
【図２】
0004726990.tif 000003
【図３】
0004726990.tif 000004
【図４Ａ】
0004726990.tif 000005
【図４Ｂ】
0004726990.tif 000006
【図５】
0004726990.tif 000007
【図６】
0004726990.tif 000008
【図７】
0004726990.tif 000009
【図８】
0004726990.tif 000010
【図９】
0004726990.tif 000011
【図１０】
0004726990.tif 000012
【図１１】
0004726990.tif 000013